(57)【特許請求の範囲】
【請求項１】
アップリンクＭＩＭＯ（Ｍｕｌｔｉｐｌｅ  Ｉｎｐｕｔ  Ｍｕｌｔｉｐｌｅ  Ｏｕｔｐｕｔ）伝送に応答してハイブリッド自動再送要求（ＨＡＲＱ）情報を伝送するための基地局（ＢＳ）による方法であって、前記方法は、
前記ＢＳにより、ユーザ機器（ＵＥ）に、第１の伝送ブロック（ＴＢ）および第２のＴＢを含む２つのＴＢのそれぞれに対する肯定確認応答または否定確認応答を指示するＨＡＲＱ情報を、前記第１のＴＢに対しては第１の物理ＨＡＲＱ指示子チャネル（ＰＨＩＣＨ）リソースを用い、前記第２のＴＢに対しては第２のＰＨＩＣＨリソースを用いて、伝送することであって、前記第１のＴＢに対する前記ＨＡＲＱ情報は、ＡＣＫを指示し、前記第２のＴＢに対する前記ＨＡＲＱ情報は、ＮＡＣＫを指示する、ことと、
前記ＢＳにより、前記ＵＥから、前記第２のＴＢの再伝送を受信することと、
前記ＢＳにより、前記ＵＥに、前記第１のＰＨＩＣＨリソースを用いて前記第２のＴＢの再伝送に対するＨＡＲＱ情報を伝送することと
を含む、方法。
【請求項２】
前記２つのＴＢは、物理ダウンリンク制御チャネル（ＰＤＣＣＨ）によりスケジューリングされる、請求項１に記載の方法。
【請求項３】
前記ＨＡＲＱ情報は、前記受信された２つのＴＢに応答して伝送される、請求項２に記載の方法。
【請求項４】
前記ＢＳにより、前記ＵＥに、前記ＰＤＣＣＨで、前記２つのＴＢに対するスケジューリング情報を含むダウンリンク制御情報（ＤＣＩ）が伝送される、請求項２に記載の方法。
【請求項５】
前記第２のＴＢの再伝送に対してＰＤＣＣＨは関連付けられていない、請求項２に記載の方法。
【請求項６】
アップリンクＭＩＭＯ（Ｍｕｌｔｉｐｌｅ  Ｉｎｐｕｔ  Ｍｕｌｔｉｐｌｅ  Ｏｕｔｐｕｔ）伝送を実行するためのユーザ機器（ＵＥ）による方法であって、前記方法は、
前記ＵＥにより、基地局（ＢＳ）から、第１の伝送ブロック（ＴＢ）および第２のＴＢを含む２つのＴＢのそれぞれに対する肯定確認応答または否定確認応答を指示するハイブリッド自動再送要求（ＨＡＲＱ）情報を、前記第１のＴＢに対しては第１の物理ＨＡＲＱ指示子チャネル（ＰＨＩＣＨ）リソースを用い、前記第２のＴＢに対しては第２のＰＨＩＣＨリソースを用いて、受信することであって、前記第１のＴＢに対する前記ＨＡＲＱ情報は、ＡＣＫを指示し、前記第２のＴＢに対する前記ＨＡＲＱ情報は、ＮＡＣＫを指示する、ことと、
前記ＵＥにより、前記ＢＳに、前記第２のＴＢの再伝送を伝送することと、
前記ＵＥにより、前記ＢＳから、前記第１のＰＨＩＣＨリソースを用いて前記第２のＴＢの再伝送に対するＨＡＲＱ情報を受信することと
を含む、方法。
【請求項７】
前記２つのＴＢは、物理ダウンリンク制御チャネル（ＰＤＣＣＨ）によりスケジューリングされる、請求項６に記載の方法。
【請求項８】
前記ＨＡＲＱ情報は、前記伝送された２つのＴＢに応答して受信される、請求項７に記載の方法。
【請求項９】
前記ＵＥにより、前記ＢＳから、前記ＰＤＣＣＨで、前記２つのＴＢに対するスケジューリング情報を含むダウンリンク制御情報（ＤＣＩ）が受信される、請求項７に記載の方法。
【請求項１０】
前記第２のＴＢの再伝送に対してＰＤＣＣＨは関連付けられていない、請求項６に記載の方法。
【請求項１１】
アップリンクＭＩＭＯ（Ｍｕｌｔｉｐｌｅ  Ｉｎｐｕｔ  Ｍｕｌｔｉｐｌｅ  Ｏｕｔｐｕｔ）伝送に応答してハイブリッド自動再送要求（ＨＡＲＱ）情報を伝送するための基地局（ＢＳ）であって、前記ＢＳは、
受信モジュールと、
伝送モジュールと、
プロセッサと
を備え、
前記プロセッサは、
第１の伝送ブロック（ＴＢ）および第２のＴＢを含む２つのＴＢのそれぞれに対する肯定確認応答または否定確認応答を指示するＨＡＲＱ情報を、前記第１のＴＢに対しては第１の物理ＨＡＲＱ指示子チャネル（ＰＨＩＣＨ）リソースを用い、前記第２のＴＢに対しては第２のＰＨＩＣＨリソースを用いて、伝送することであって、前記第１のＴＢに対する前記ＨＡＲＱ情報は、ＡＣＫを指示し、前記第２のＴＢに対する前記ＨＡＲＱ情報は、ＮＡＣＫを指示する、ことと、
前記第２のＴＢの再伝送を受信することと、
前記第１のＰＨＩＣＨリソースを用いて前記第２のＴＢの再伝送に対するＨＡＲＱ情報を伝送することと
を実行するように構成される、ＢＳ。
【請求項１２】
アップリンクＭＩＭＯ（Ｍｕｌｔｉｐｌｅ  Ｉｎｐｕｔ  Ｍｕｌｔｉｐｌｅ  Ｏｕｔｐｕｔ）伝送を実行するためのユーザ機器（ＵＥ）であって、前記ＵＥは、
受信モジュールと、
伝送モジュールと、
プロセッサと
を備え、
前記プロセッサは、
第１の伝送ブロック（ＴＢ）および第２のＴＢを含む２つのＴＢのそれぞれに対する肯定確認応答または否定確認応答を指示するハイブリッド自動再送要求（ＨＡＲＱ）情報を、前記第１のＴＢに対しては第１の物理ＨＡＲＱ指示子チャネル（ＰＨＩＣＨ）リソースを用い、前記第２のＴＢに対しては第２のＰＨＩＣＨリソースを用いて、受信することであって、前記第１のＴＢに対する前記ＨＡＲＱ情報は、ＡＣＫを指示し、前記第２のＴＢに対する前記ＨＡＲＱ情報は、ＮＡＣＫを指示する、ことと、
前記第２のＴＢの再伝送を伝送することと、
前記第１のＰＨＩＣＨリソースを用いて前記第２のＴＢの再伝送に対するＨＡＲＱ情報を受信することと
を実行するように構成される、ＵＥ。
【発明の詳細な説明】
【技術分野】
【０００１】
以下の説明は、無線通信システムに係り、特に、アップリンク多重アンテナ伝送を支援するための効率的な制御情報伝送方法及び装置に関する。
【背景技術】
【０００２】
ＭＩＭＯは、Ｍｕｌｔｉｐｌｅ−Ｉｎｐｕｔ  Ｍｕｌｔｉｐｌｅ−Ｏｕｔｐｕｔの略語で、いままで１個の伝送アンテナと１個の受信アンテナを用いてきたことから脱皮し、多重伝送アンテナと多重受信アンテナを採択することで送受信データ効率を向上させることができる方法のことを指す。すなわち、無線通信システムにおける伝送端（ｔｒａｎｓｍｉｔｔｅｒ）あるいは受信端（ｒｅｃｅｉｖｅｒ）において多重アンテナを用いて容量を増大させたり性能を改善したりする技術である。ＭＩＭＯ技術を多重アンテナ技術と呼ぶこともできる。
【０００３】
多重アンテナ伝送手法を用いる時に、同時に伝送されるＮ個のデータストリームを一つのチャネルエンコーディングブロックを用いて伝送する単一コードワード（Ｓｉｎｇｌｅ  ＣｏｄｅＷｏｒｄ、ＳＣＷ）方式と、Ｎ個のデータストリームをＭ（ここで、Ｍは常に、Ｎより小さいまたは同一である）個のチャネルエンコーディングブロックを用いて伝送する多重コードワード（Ｍｕｌｔｉｐｌｅ  ＣｏｄｅＷｏｒｄ、ＭＣＷ）方式と、がある。この時、各チャネルエンコーディングブロックは独立したコードワードを（Ｃｏｄｅｗｏｒｄ）を生成し、各コードワードは独立したエラー検出が可能なように設計される。
【０００４】
多重コードワードを伝送するシステムにおいて、受信側には、それぞれのコードワードの検出（または、デコーディング）の成功／失敗を送信側に知らせることが要求される。そのために、受信側は、それぞれのコードワードに対するハイブリッド自動再送要求（Ｈｙｂｒｉｄ  Ａｕｔｏｍａｔｉｃ  Ｒｅｐｅａｔ  ｒｅＱｕｅｓｔ；ＨＡＲＱ）確認応答（ＡＣＫ／ＮＡＣＫ）信号を送信側に伝送することができる。
【０００５】
既存の単一アンテナを用いたアップリンクデータ伝送について、単一コードワード伝送を支援することができる。また、単一アンテナアップリンク伝送について同期式（ｓｙｎｃｈｒｏｎｏｕｓ）ＨＡＲＱ方式を適用でき、再伝送時の変調及びコーディング手法（Ｍｏｄｕｌａｔｉｏｎ  ａｎｄ  Ｃｏｄｉｎｇ  Ｓｃｈｅｍｅ；ＭＣＳ）などの変更有無によって適応的（ａｄａｐｔｉｖｅ）または非−適応的（ｎｏｎ−ａｄａｐｔｉｖｅ）ＨＡＲＱ方式を適用することができる。
【発明の概要】
【発明が解決しようとする課題】
【０００６】
既存の３ＧＰＰ  ＬＴＥシステムでは、単一アンテナを有する端末のアップリンク単一コードワード伝送に対するＨＡＲＱ動作についてのみ定義しているので、多重アンテナを有する端末のアップリンク多重コードワード伝送及び再伝送に対するＨＡＲＱ動作及びそれを支援するための制御情報の構成方案を定義することが要求される。
【０００７】
本発明は、アップリンク多重アンテナ伝送を正確で且つ效率的に支援するための制御情報を提供する方法及び装置を提供することを技術的課題とする。具体的に、アップリンク多重コードワード伝送に対するＨＡＲＱ動作において、物理ＨＡＲＱ指示子チャネル（ＰＨＩＣＨ）上の制御情報構成方案、プリコーダ選択方案、ＰＨＩＣＨリソース選択方案、復調参照信号（ＤＭＲＳ）リソース選択方案、ＰＨＩＣＨ及び物理ダウンリンク制御チャネル（ＰＤＣＣＨ）を通じた端末のＨＡＲＱ動作方案、及びＰＤＣＣＨ上のダウンリンク制御情報（ＤＣＩ）構成方案を提供することを技術的課題とする。
【０００８】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【０００９】
上記の技術的課題を解決するために、本発明の一実施例に係る、基地局でアップリンク多重アンテナ伝送に関する制御情報を伝送する方法は、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて端末に伝送すること、前記ＤＣＩによってスケジューリングされた前記第１のデータブロック及び第２のデータブロックを前記端末から受信すること、前記受信された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記端末に伝送すること、否定確認応答されたデータブロックに対する再伝送（ｒｅｔｒａｎｓｍｉｓｓｉｏｎ）を前記端末から受信すること、及び、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記端末に伝送すること、を含むことができる。
【００１０】
上記の技術的課題を解決するために、本発明の他の実施例に係る、端末でアップリンク多重アンテナ伝送を行う方法は、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて基地局から受信すること、前記ＤＣＩによってスケジューリングされた前記第１のデータブロック及び第２のデータブロックを前記基地局に伝送すること、前記伝送された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記基地局から受信すること、否定確認応答されたデータブロックに対する再伝送（ｒｅｔｒａｎｓｍｉｓｓｉｏｎ）を前記基地局に伝送すること、及び、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記基地局から受信すること、を含むことができる。
【００１１】
上記の技術的課題を解決するために、本発明のさらに他の実施例に係る、アップリンク多重アンテナ伝送に関する制御情報を伝送する基地局は、端末からアップリンク信号を受信する受信モジュールと、前記端末にダウンリンク信号を伝送する伝送モジュールと、前記受信モジュール及び前記伝送モジュールを有する前記基地局を制御するプロセッサと、を備え、前記プロセッサは、前記伝送モジュールを介して、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて前記端末に伝送し、前記受信モジュールを介して、前記ＤＣＩによってスケジューリングされた前記第１のデータブロック及び第２のデータブロックを前記端末から受信し、前記伝送モジュールを介して、前記受信された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記端末に伝送し、前記受信モジュールを介して、否定確認応答されたデータブロックに対する再伝送（ｒｅｔｒａｎｓｍｉｓｓｉｏｎ）を前記端末から受信し、前記伝送モジュールを介して、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記端末に伝送するように構成されるとよい。
【００１２】
上記の技術的課題を解決するために、本発明のさらに他の実施例に係る、アップリンク多重アンテナ伝送を行う端末は、基地局からダウンリンク信号を受信する受信モジュールと、前記基地局にアップリンク信号を伝送する伝送モジュールと、前記受信モジュール及び前記伝送モジュールを有する前記端末を制御するプロセッサと、を備え、前記プロセッサは、前記受信モジュールを介して、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて前記基地局から受信し、前記伝送モジュールを介して、前記ＤＣＩによってスケジューリングされた前記第１のデータブロック及び第２のデータブロックを前記基地局に伝送し、前記受信モジュールを介して、前記伝送された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記基地局から受信し、前記伝送モジュールを介して、否定確認応答されたデータブロックに対する再伝送（ｒｅｔｒａｎｓｍｉｓｓｉｏｎ）を前記基地局に伝送し、前記受信モジュールを介して、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記基地局から受信するように構成されるとよい。
【００１３】
本発明に係る以上の実施例について下記の事項を共通に適用することができる。
【００１４】
前記再伝送は、前記端末が前記ＰＨＩＣＨを検出するダウンリンクサブフレームでＰＤＣＣＨを検出しなかった場合に行われるとよい。
【００１５】
前記端末で前記再伝送を行うサブフレームは、前記端末が前記第１のデータブロック及び第２のデータブロックのそれぞれに対するＡＣＫまたはＮＡＣＫを指示する情報を受信するサブフレーム以降の４番目のサブフレームでよい。
【００１６】
前記端末で前記再伝送に対するＡＣＫまたはＮＡＣＫを指示する情報を受信するサブフレームは、前記端末が再伝送を行うサブフレーム以降の４番目のサブフレームでよい。
【００１７】
前記第１のＰＨＩＣＨリソース及び前記第２のＰＨＩＣＨリソースは、異なる周波数領域のインデックスによって区別可能である。
本明細書は、例えば、以下の項目も提供する。
（項目１）
基地局でアップリンク多重アンテナ伝送に関する制御情報を伝送する方法であって、
第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて端末に伝送し、
前記ＤＣＩによってスケジューリングされた前記第１のデータブロック及び第２のデータブロックを前記端末から受信し、
前記受信された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記端末に伝送し、
否定確認応答されたデータブロックに対する再伝送（ｒｅｔｒａｎｓｍｉｓｓｉｏｎ）を前記端末から受信し、
前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記端末に伝送する、制御情報伝送方法。
（項目２）
前記再伝送は、前記端末が前記ＰＨＩＣＨを検出するダウンリンクサブフレームでＰＤＣＣＨを検出しなかった場合に行われる、項目１に記載の制御情報伝送方法。
（項目３）
前記端末で前記再伝送を行うサブフレームは、前記端末が前記第１のデータブロック及び第２のデータブロックのそれぞれに対するＡＣＫまたはＮＡＣＫを指示する情報を受信するサブフレーム以降の４番目のサブフレームである、項目１に記載の制御情報伝送方法。
（項目４）
前記端末で前記再伝送に対するＡＣＫまたはＮＡＣＫを指示する情報を受信するサブフレームは、前記端末が再伝送を行うサブフレーム以降の４番目のサブフレームである、項目１に記載の制御情報伝送方法。
（項目５）
前記第１のＰＨＩＣＨリソース及び前記第２のＰＨＩＣＨリソースは、異なる周波数領域のインデックスによって区別される、項目１に記載の制御情報伝送方法。
（項目６）
端末でアップリンク多重アンテナ伝送を行う方法であって、
第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて基地局から受信し、
前記ＤＣＩによってスケジューリングされた前記第１のデータブロック及び第２のデータブロックを前記基地局に伝送し、
前記伝送された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記基地局から受信し、
否定確認応答されたデータブロックに対する再伝送（ｒｅｔｒａｎｓｍｉｓｓｉｏｎ）を前記基地局に伝送し、
前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記基地局から受信する、アップリンク多重アンテナ伝送方法。
（項目７）
前記再伝送は、前記端末が前記ＰＨＩＣＨを検出するダウンリンクサブフレームでＰＤＣＣＨを検出しなかった場合に行われる、項目６に記載のアップリンク多重アンテナ伝送方法。
（項目８）
前記端末で前記再伝送を行うサブフレームは、前記端末が前記第１のデータブロック及び第２のデータブロックのそれぞれに対するＡＣＫまたはＮＡＣＫを指示する情報を受信するサブフレーム以降の４番目のサブフレームである、項目６に記載のアップリンク多重アンテナ伝送方法。
（項目９）
前記端末で前記再伝送に対するＡＣＫまたはＮＡＣＫを指示する情報を受信するサブフレームは、前記端末が再伝送を行うサブフレーム以降の４番目のサブフレームである、項目６に記載のアップリンク多重アンテナ伝送方法。
（項目１０）
前記第１のＰＨＩＣＨリソース及び前記第２のＰＨＩＣＨリソースは、異なる周波数領域のインデックスによって区別される、項目６に記載のアップリンク多重アンテナ伝送方法。
（項目１１）
アップリンク多重アンテナ伝送に関する制御情報を伝送する基地局であって、
端末からアップリンク信号を受信する受信モジュールと、
前記端末にダウンリンク信号を伝送する伝送モジュールと、
前記受信モジュール及び前記伝送モジュールを有する前記基地局を制御するプロセッサと、を備え、
前記プロセッサは、
前記伝送モジュールを介して、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて前記端末に伝送し、
前記受信モジュールを介して、前記ＤＣＩによってスケジューリングされた前記第１のデータブロック及び第２のデータブロックを前記端末から受信し、
前記伝送モジュールを介して、前記受信された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記端末に伝送し、
前記受信モジュールを介して、否定確認応答されたデータブロックに対する再伝送（ｒｅｔｒａｎｓｍｉｓｓｉｏｎ）を前記端末から受信し、
前記伝送モジュールを介して、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記端末に伝送するように構成される、制御情報伝送基地局。
（項目１２）
アップリンク多重アンテナ伝送を行う端末であって、
基地局からダウンリンク信号を受信する受信モジュールと、
前記基地局にアップリンク信号を伝送する伝送モジュールと、
前記受信モジュール及び前記伝送モジュールを有する前記端末を制御するプロセッサと、を備え、
前記プロセッサは、
前記受信モジュールを介して、第１のデータブロック及び第２のデータブロックのアップリンク伝送をスケジューリングするダウンリンク制御情報（ＤＣＩ）を、物理ダウンリンク制御チャネル（ＰＤＣＣＨ）を通じて前記基地局から受信し、
前記伝送モジュールを介して、前記ＤＣＩによってスケジューリングされた前記第１のデータブロック及び第２のデータブロックを前記基地局に伝送し、
前記受信モジュールを介して、前記伝送された第１のデータブロック及び第２のデータブロックのそれぞれに対する肯定確認応答（ＡＣＫ）または否定確認応答（ＮＡＣＫ）を指示する情報を、前記第１のデータブロックに対して第１の物理ＨＡＲＱ指示子チャネル（ＰＨＩＣＨ）リソースを用い、前記第２のデータブロックに対して第２のＰＨＩＣＨリソースを用いて前記基地局から受信し、
前記伝送モジュールを介して、否定確認応答されたデータブロックに対する再伝送（ｒｅｔｒａｎｓｍｉｓｓｉｏｎ）を前記基地局に伝送し、
前記受信モジュールを介して、前記否定確認応答されたデータブロックの個数が前記ＰＤＣＣＨで指示されたデータブロックの個数と同一でない場合に、前記否定確認応答されたデータブロックの再伝送に対するＡＣＫまたはＮＡＣＫを指示する情報を、前記第１のＰＨＩＣＨリソースを用いて前記基地局から受信するように構成される、アップリンク多重アンテナ伝送端末。
【００１８】
本発明について前述した一般的な説明と後述する詳細な説明は例示的なもので、請求項に記載の発明についてのさらなる説明のためのものである。
【発明の効果】
【００１９】
本発明によれば、アップリンク多重アンテナ伝送に対するＨＡＲＱ動作、多重コードワード伝送動作などを支援する制御情報を構成でき、これにより、アップリンク多重アンテナ伝送に対する正確で効率的な動作を提供することが可能になる。具体的に、アップリンク多重コードワード伝送に対するＨＡＲＱ動作において、物理ＨＡＲＱ指示子チャネル（ＰＨＩＣＨ）上の制御情報構成方案、プリコーダ選択方案、ＰＨＩＣＨリソース選択方案、復調参照信号（ＤＭＲＳ）リソース選択方案、ＰＨＩＣＨ及び物理ダウンリンク制御チャネル（ＰＤＣＣＨ）を通じた端末のＨＡＲＱ動作方案、及びＰＤＣＣＨ上のダウンリンク制御情報（ＤＣＩ）構成方案を提供することができる。
【００２０】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００２１】
本明細書に添付している図面は、本発明に関する理解を提供するためのもので、本発明の様々な実施の形態を示し、明細書の記載と共に本発明の原理を説明するためのものである。
【図１】ダウンリンク無線フレームの構造を示す図である。
【図２】一つのダウンリンクスロットに対するリソースグリッド（ｒｅｓｏｕｒｃｅ  ｇｒｉｄ）の一例を示す図である。
【図３】ダウンリンクサブフレームの構造を示す図である。
【図４】アップリンクサブフレームの構造を示す図である。
【図５】多重アンテナを有する無線通信システムの構成図である。
【図６】コードブックベースのプリコーディングの基本概念を説明するための図である。
【図７】移動通信システムにおいてＳＣ−ＦＤＭＡ伝送方式とＯＦＤＭＡ伝送方式を説明するための図である。
【図８】アップリンク複数コードワードベースのＭＩＭＯ伝送構成を説明するためのブロック図である。
【図９】プリコーダのサブセットを用いたアップリンクＭＩＭＯ伝送を説明するための図である。
【図１０】本発明に係るアップリンクＭＩＭＯ伝送及び受信方法を示すフローチャートである。
【図１１】本発明に係る基地局装置及び端末装置の構成を示す図である。
【発明を実施するための形態】
【００２２】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００２３】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２４】
すなわち、基地局を含む多数のネットワークノード（ｎｅｔｗｏｒｋ  ｎｏｄｅｓ）からなるネットワークにおいて、端末との通信のために行われる種々の動作は、基地局、または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。また、本文書で基地局という用語は、セルまたはセクターを含む概念として用いることができる。一方、中継機は、Ｒｅｌａｙ  Ｎｏｄｅ（ＲＮ）、Ｒｅｌａｙ  Ｓｔａｔｉｏｎ（ＲＳ）などの用語に代えてもよい。「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。本文書で、アップリンク伝送主体は、端末または中継機を意味することができ、アップリンク受信主体は基地局または中継機を意味することができる。同様に、ダウンリンク伝送主体は、基地局または中継機を意味することができ、ダウンリンク受信主体は、端末または中継機を意味することができる。言い換えると、アップリンク伝送は、端末から基地局への伝送、端末から中継機への伝送、または中継機から基地局への伝送を意味することができる。同様に、ダウンリンク伝送は、基地局から端末への伝送、基地局から中継機への伝送、中継機から端末への伝送を意味することができる。
【００２５】
以下の説明で使われる特定用語は、本発明の理解を助けるために提供されたもので、これらの特定用語の使用は、本発明の技術的思想から逸脱することなく他の形態に変更可能である。
【００２６】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００２７】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明しない段階または部分を、上記の標準文書でサーポートすることができる。なお、本文書で開示している全ての用語は、上記の標準文書により説明することができる。
【００２８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００２９】
図１を参照してダウンリンク無線フレームの構造について説明する。
【００３０】
セルラーＯＦＤＭ無線パケット通信システムにおいて、アップリンク／ダウンリンクデータパケット伝送はサブフレーム（Ｓｕｂｆｒａｍｅ）単位になされ、１サブフレームは、多数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３１】
図１（ａ）は、タイプ１無線フレームの構造を示す図である。ダウンリンク無線フレーム（ｒａｄｉｏ  ｆｒａｍｅ）は、１０個のサブフレーム（ｓｕｂｆｒａｍｅ）で構成され、１サブフレームは時間領域（ｔｉｍｅ  ｄｏｍａｉｎ）で２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓであり、１スロットの長さは０．５ｍｓである。１スロットは、時間領域で複数のＯＦＤＭシンボルを有し、周波数領域で多数のリソースブロック（Ｒｅｓｏｕｒｃｅ  Ｂｌｏｃｋ；ＲＢ）を有する。３ＧＰＰ  ＬＴＥシステムでは、ダウンリンクでＯＦＤＭＡを用いるので、ＯＦＤＭシンボルが一つのシンボル区間を示す。ＯＦＤＭシンボルをＳＣ−ＦＤＭＡシンボルまたはシンボル区間と呼ぶこともできる。リソースブロック（Ｒｅｓｏｕｒｃｅ  Ｂｌｏｃｋ；ＲＢ）は、リソース割当単位であり、１スロットで複数個の連続した副搬送波（ｓｕｂｃａｒｒｉｅｒ）を有することができる。
【００３２】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰにより構成された場合に、１スロットに含まれるＯＦＤＭシンボルの数は７個でよい。ＯＦＤＭシンボルが拡張されたＣＰにより構成された場合に、１  ＯＦＤＭシンボルの長さが増加することから、１スロットに含まれるＯＦＤＭシンボルの数は、一般ＣＰの場合に比べてより少ない。拡張されたＣＰの場合に、例えば、１スロットに含まれるＯＦＤＭシンボルの数は６個でよい。端末が速い速度で移動するなどしてチャネル状態が不安定な場合に、シンボル間干渉をより減らすために、拡張されたＣＰを用いることができる。
【００３３】
一般ＣＰが用いられる場合に、１スロットは７個のＯＦＤＭシンボルを有するので、１サブフレームは１４個のＯＦＤＭシンボルを有する。この場合、各サブフレームにおける先頭の２または３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられるとよい。
【００３４】
図１（ｂ）は、タイプ２無線フレームの構造を示す図である。タイプ２無線フレームは、２個のハーフフレーム（ｈａｌｆ  ｆｒａｍｅ）で構成され、各ハーフフレームは、５個のサブフレームとＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、ＵｐＰＴＳ（Ｕｐｌｉｎｋ  Ｐｉｌｏｔ  Ｔｉｍｅ  Ｓｌｏｔ）で構成され、１サブフレームは２個のスロットで構成される。ＤｗＰＴＳは、端末での初期セル探索、同期化またはチャネル推定に用いられる。ＵｐＰＴＳは、基地局でのチャネル推定、端末の上り伝送同期を合わせるのに用いられる。保護区間は、アップリンクとダウンリンクとの間にダウンリンク信号の多重経路遅延によりアップリンクで生じる干渉を除去するための区間である。一方、無線フレームのタイプを問わず１個のサブフレームは２個のスロットで構成される。
【００３５】
無線フレームの構造は例示に過ぎず、無線フレームに含まれるサブフレームの数またはサブフレームに含まれるスロットの数、スロットに含まれるシンボルの数は、様々に変更されてもよい。
【００３６】
図２は、１ダウンリンクスロットに対するリソースグリッド（ｒｅｓｏｕｒｃｅ  ｇｒｉｄ）の一例を示す図である。これは、ＯＦＤＭシンボルが一般ＣＰで構成された場合である。図２を参照すると、ダウンリンクスロットは、時間領域で複数のＯＦＤＭシンボルを有し、周波数領域で多数のリソースブロックを有する。ここで、１ダウンリンクスロットは７  ＯＦＤＭシンボルを有し、１リソースブロックは１２副搬送波を有する例にとって説明するが、これに制限されるものではない。リソースグリッド上の各要素（ｅｌｅｍｅｎｔ）をリソース要素（ＲＥ）という。例えば、リソース要素ａ（ｋ，ｌ）は、ｋ番目の副搬送波とｌ番目ＯＦＤＭシンボルに位置しているリソース要素を指す。一般ＣＰの場合に、１リソースブロックは１２×７リソース要素を有する（拡張されたＣＰの場合には１２×６リソース要素を有する）。各副搬送波の間隔は１５ｋＨｚであるから、１リソースブロックは周波数領域で約１８０ｋＨｚを含む。ＮＤＬは、ダウンリンクスロットに含まれるリソースブロックの数である。ＮＤＬの値は、基地局のスケジューリングにより設定されるダウンリンク伝送帯域幅（ｂａｎｄｗｉｄｔｈ）によって決定することができる。
【００３７】
図３は、ダウンリンクサブフレームの構造を示す図である。１サブフレーム内において、１番目のスロットの先頭の最大３個のＯＦＤＭシンボルは、制御チャネルが割り当てられる制御領域に該当し、残りのＯＦＤＭシンボルは、物理ダウンリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。伝送の基本単位は、１サブフレームとなる。すなわち、２スロットに亘ってＰＤＣＣＨ及びＰＤＳＣＨが割り当てられる。３ＧＰＰ  ＬＴＥシステムで用いられるダウンリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの１番目のＯＦＤＭシンボルで伝送され、サブフレーム内の制御チャネル伝送に用いられるＯＦＤＭシンボルの個数に関する情報を含む。ＰＨＩＣＨは、アップリンク伝送の応答としてＨＡＲＱ  ＡＣＫ／ＮＡＣＫ信号を含む。ＰＤＣＣＨを通じて伝送される制御情報をダウンリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、アップリンクまたはダウンリンクスケジューリング情報を含んだり、任意の端末グループに対するアップリンク伝送電力制御命令を含む。ＰＤＣＣＨは、ダウンリンク共有チャネル（ＤＬ−ＳＣＨ）のリソース割当及び伝送フォーマット、アップリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨで伝送されるランダムアクセス応答（Ｒａｎｄｏｍ  Ａｃｃｅｓｓ  Ｒｅｓｐｏｎｓｅ）のような上位層制御メッセージのリソース割当、任意の端末グループ中の個別端末への伝送電力制御命令のセット、伝送電力制御情報、ＶｏＩＰ（Ｖｏｉｃｅ  ｏｖｅｒ  ＩＰ）の活性化などを含むことができる。複数のＰＤＣＣＨが制御領域で伝送され、端末は、複数のＰＤＣＣＨをモニタリングすることができる。ＰＤＣＣＨは、１以上の連続する制御チャネル要素（Ｃｏｎｔｒｏｌ  Ｃｈａｎｎｅｌ  Ｅｌｅｍｅｎｔ；ＣＣＥ）の組み合わせで伝送される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマット及び利用可能なビット数は、ＣＣＥの個数とＣＣＥにより提供されるコーディングレート間の相関関係によって決定される。基地局は、端末に伝送されるＤＣＩに基づいてＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者または用途によって、無線ネットワーク臨時識別子（Ｒａｄｉｏ  Ｎｅｔｗｏ��ｋ  Ｔｅｍｐｏｒａｒｙ  Ｉｄｅｎｔｉｆｉｅｒ；ＲＮＴＩ）という識別子でマスキングされる。ＰＤＣＣＨが特定端末へのものであれば、端末のｃｅｌｌ−ＲＮＴＩ（Ｃ−ＲＮＴＩ）をＣＲＣにマスキングすることができる。または、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスキングすることができる。ＰＤＣＣＨがシステム情報（特に、システム情報ブロック（ＳＩＢ））に対するものであれば、システム情報識別子及びシステム情報ＲＮＴＩ（ＳＩ−ＲＮＴＩ）をＣＲＣにマスキングすることができる。端末のランダムアクセスプリアンブル伝送に対する応答であるランダムアクセス応答を表すために、ランダムアクセス−ＲＮＴＩ（ＲＡ−ＲＮＴＩ）をＣＲＣにマスキングすることができる。
【００３８】
図４は、アップリンクサブフレームの構造を示す図である。アップリンクサブフレームは、周波数領域で制御領域とデータ領域とに区別することができる。制御領域には、アップリンク制御情報を含む物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理アップリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末は、ＰＵＣＣＨとＰＵＳＣＨを同時に伝送しない。一つの端末に対するＰＵＣＣＨは、サブフレームでリソースブロック対（ＲＢ  ｐａｉｒ）に割り当てられる。リソースブロック対に属するリソースブロックは、２スロットに対して異なる副搬送波を占める。これを、ＰＵＣＣＨに割り当てられるリソースブロック対がスロット境界で周波数−ホッピング（ｆｒｅｑｕｅｎｃｙ−ｈｏｐｐｅｄ）するという。
【００３９】
搬送波組み合わせ
一般の無線通信システムでは、アップリンクとダウンリンク間の帯域幅とが異なるように設定されても、主に一つの搬送波（ｃａｒｒｉｅｒ）のみを考慮している。例えば、単一搬送波に基づき、アップリンクとダウンリンクを構成する搬送波の数がそれぞれ１個であり、アップリンクの帯域幅とダウンリンクの帯域幅とが主に互いに対称である無線通信システムを提供することができる。
【００４０】
ＩＴＵ（Ｉｎｔｅｒｎａｔｉｏｎａｌ  Ｔｅｌｅｃｏｍｍｕｎｉｃａｔｉｏｎ  Ｕｎｉｏｎ）では、ＩＭＴ−Ａｄｖａｎｃｅｄの候補技術が、既存の無線通信システムに比べて拡張された帯域幅を支援することを要求している。しかし、全世界的に一部地域以外は、大きい帯域幅の周波数割当が容易でない。そこで、断片の小さい帯域を效率的に用いるための技術として、周波数領域で物理的に複数個のバンドを組み合わせることで、論理的に大きい帯域のバンドを用いるような効果を奏するための搬送波組み合わせ（Ｃａｒｒｉｅｒ  Ａｇｇｒｅｇａｔｉｏｎ；帯域幅組み合わせ（Ｂａｎｄｗｉｄｔｈ  Ａｇｇｒｅｇａｔｉｏｎ）またはスペクトル組み合わせ（Ｓｐｅｃｔｒｕｍ  Ａｇｇｒｅｇａｔｉｏｎ）ともいう。）技術が開発されている。
【００４１】
搬送波組み合わせは、増加する収率（ｔｈｒｏｕｇｈｐｕｔ）を支援し、広帯域ＲＦ素子の導入によるコスト増加を防止し、かつ既存システムとの互換性を保障するために導入されるものである。搬送波組み合わせとは、既存の無線通信システム（例えば、３ＧＰＰ  ＬＴＥ−Ａｄｖａｎｃｅｄシステムの場合には３ＧＰＰ  ＬＴＥリリーズ８または９システム）で定義される帯域幅単位の搬送波の複数個の束を通じて端末と基地局間にデータを交換できるようにする技術である。ここで、既存の無線通信システムで定義される帯域幅単位の搬送波を構成搬送波（Ｃｏｍｐｏｎｅｎｔ  Ｃａｒｒｉｅｒ；ＣＣ）またはセル（ｃｅｌｌ）と呼ぶことができる。アップリンク及びダウンリンクのそれぞれにおいて一つ以上のセル（または構成搬送波）を用いる搬送波組み合わせ技術を適用することができる。搬送波組み合わせ技術は、一つのセル（または構成搬送波）が５ＭＨｚ、１０ＭＨｚまたは２０ＭＨｚの帯域幅を支援しても、最大５個のセル（または構成搬送波）をまとめて最大１００ＭＨｚまでのシステム帯域幅を支援する技術を含むことができる。
【００４２】
多重アンテナ（ＭＩＭＯ）システムのモデリング
ＭＩＭＯシステムは、多重送信アンテナと多重受信アンテナを用いてデータの送受信効率を向上させるシステムである。ＭＩＭＯ技術は、全体メッセージを受信するために単一アンテナ経路に依存せず、複数個のアンテナを通じて受信される複数個のデータ断片を組み合わせて全体データを受信することができる。
【００４３】
図５は、多重アンテナを有する無線通信システムの構成図である。図５（ａ）に示すように、送信アンテナの数をＮＴ個、受信アンテナの数をＮＲと増やすと、送信機または受信機のいずれかでのみ複数のアンテナを用いる場合とは違い、アンテナ数に比例して理論的なチャネル伝送容量が増加する。そのため、伝送レートを向上させ、周波数効率を画期的に向上させることができる。チャネル伝送容量が増加することによって、伝送レートは、理論的に、単一アンテナ使用時における最大伝送レート（Ｒｏ）にレート増加率（Ｒｉ）がかけられた分だけ増加することが可能になる。
【００４４】
【数１】
0005887435.tif 000002
例えば、４個の送信アンテナと４個の受信アンテナを用いるＭＩＭＯ通信システムでは、単一アンテナシステムに比べて理論上、４倍の伝送レートを獲得することができる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００４５】
現在までの多重アンテナ関連研究動向をみると、様々なチャネル環境及び多重接続環境における多重アンテナ通信容量計算などと関連した情報理論側面の研究、多重アンテナシステムの無線チャネル測定及び模型導出の研究、伝送信頼度の向上及び伝送率の向上のための時空間信号処理技術の研究などを含め、様々な観点で活発に研究が進行中である。
【００４６】
多重アンテナシステムにおける通信方法を、数学的モデリングを用いてより具体的に説明する。このシステムにはＮＴ個の送信アンテナとＮＲ個の受信アンテナが存在すると仮定する。
【００４７】
送信信号について説明すると、ＮＴ個の送信アンテナがある場合に、伝送可能な最大情報はＮＴ個である。伝送情報は下記のように表現できる。
【００４８】
【数２】
0005887435.tif 000003
それぞれの伝送情報
【００４９】
【化１】
0005887435.tif 000004
は、伝送電力が異なることがある。それぞれの伝送電力を
【００５０】
【化２】
0005887435.tif 000005
とすれば、伝送電力の調整された伝送情報は、下記のように表現できる。
【００５１】
【数３】
0005887435.tif 000006
また、
【００５２】
【化３】
0005887435.tif 000007
は、伝送電力の対角行列
【００５３】
【化４】
0005887435.tif 000008
を用いて下記のように表現できる。
【００５４】
【数４】
0005887435.tif 000009
伝送電力の調整された情報ベクトル（ｉｎｆｏｒｍａｔｉｏｎ  ｖｅｃｔｏｒ）
【００５５】
【化５】
0005887435.tif 000010
に重み行列
【００５６】
【化６】
0005887435.tif 000011
が適用されて、実際に伝送されるＮＴ個の送信信号
【００５７】
【化７】
0005887435.tif 000012
が構成される場合を考慮してみる。重み行列
【００５８】
【化８】
0005887435.tif 000013
は、伝送情報を伝送チャネル状況などに応じて各アンテナに適切に分配する役割を果たす。
【００５９】
【化９】
0005887435.tif 000014
は、ベクトル
【００６０】
【化１０】
0005887435.tif 000015
を用いて下記のように表現できる。
【００６１】
【数５】
0005887435.tif 000016
ここで、
【００６２】
【化１１】
0005887435.tif 000017
は、ｉ番目の送信アンテナとｊ番目の情報間の重み値を意味する。
【００６３】
【化１２】
0005887435.tif 000018
は、プリコーディング行列とも呼ばれる。
【００６４】
一方、送信信号ｘは、２つの場合（例えば、空間ダイバーシティ及び空間多重化）によって異なる方法で考慮されることがある。空間多重化の場合に、異なる信号が多重化され、多重化された信号が受信側に伝送されることで、情報ベクトルの要素（ｅｌｅｍｅｎｔ）がそれぞれ異なる値を有する。一方、空間ダイバーシティの場合には、同じ信号が複数個のチャネル経路を通じて反復的に伝送されることで、情報ベクトルの要素が同じ値を有する。もちろん、空間多重化及び空間ダイバーシティ手法の組み合わせも考慮することができる。すなわち、同じ信号が、例えば３個の伝送アンテナを通じて空間ダイバーシティ手法によって伝送され、かつ残りの信号は空間多重化されて、受信側に伝送されることも可能である。
【００６５】
ＮＲ個の受信アンテナがある場合に、各アンテナの受信信号
【００６６】
【化１３】
0005887435.tif 000019
はベクトルで下記のように表現できる。
【００６７】
【数６】
0005887435.tif 000020
多重アンテナ無線通信システムでチャネルをモデリングする場合に、チャネルは送受信アンテナインデックスによって区別可能にすることができる。送信アンテナｊから受信アンテナｉを経るチャネルを
【００６８】
【化１４】
0005887435.tif 000021
と表示するとする。
【００６９】
【化１５】
0005887435.tif 000022
において、インデックスの順序は、受信アンテナインデックスが先で、送信アンテナのインデックスが後であることに留意されたい。
【００７０】
一方、図５（ｂ）には、ＮＴ個の送信アンテナから受信アンテナｉへのチャネルを示す。このチャネルをまとめてベクトル及び行列形態で表示することができる。図５（ｂ）で、総ＮＴ個の送信アンテナから受信アンテナｉに到着するチャネルは、下記のように表すことができる。
【００７１】
【数７】
0005887435.tif 000023
したがって、ＮＴ個の送信アンテナからＮＲ個の受信アンテナに到着する全てのチャネルは、下記のように表現できる。
【００７２】
【数８】
0005887435.tif 000024
実際チャネルにはチャネル行列
【００７３】
【化１６】
0005887435.tif 000025
を経た後に、白色雑音（ＡＷＧＮ；Ａｄｄｉｔｉｖｅ  Ｗｈｉｔｅ  Ｇａｕｓｓｉａｎ  Ｎｏｉｓｅ）が加えられる。ＮＲ個の受信アンテナのそれぞれに加えられる白色雑音
【００７４】
【化１７】
0005887435.tif 000026
は、下記のように表現できる。
【００７５】
【数９】
0005887435.tif 000027
上述した数式モデリングを通じて受信信号は下記のように表現できる。
【００７６】
【数１０】
0005887435.tif 000028
チャネル状態を表すチャネル行列
【００７７】
【化１８】
0005887435.tif 000029
における行と列の数は、送受信アンテナの数によって決定される。チャネル行列
【００７８】
【化１９】
0005887435.tif 000030
において、行の数は受信アンテナの数ＮＲと同じであり、列の数は送信アンテナの数ＮＴと同じである。すなわち、チャネル行列
【００７９】
【化２０】
0005887435.tif 000031
は、ＮＲ×ＮＴとなる。
【００８０】
行列のランク（ｒａｎｋ）は、互いに独立した（ｉｎｄｅｐｅｎｄｅｎｔ）行または列の個数のうちの最小個数と定義される。そのため、行列のランクは、行または列の個数よりも大きくなることはない。チャネル行列
【００８１】
【化２１】
0005887435.tif 000032
のランク
【００８２】
【化２２】
0005887435.tif 000033
は、下記のように制限される。
【００８３】
【数１１】
0005887435.tif 000034
ＭＩＭＯ伝送において、「ランク（Ｒａｎｋ）」とは、独立して信号を伝送できる経路の数のことを指し、「レイヤー（ｌａｙｅｒ）の個数」とは、各経路を通じて伝送される信号ストリームの個数のことを指す。一般に、送信端は、信号伝送に用いられるランク数に対応する個数のレイヤーを伝送するから、特別な言及がない限り、ランクはレイヤーの個数と同じ意味を有する。
【００８４】
一方、前述のＭＩＭＯ伝送手法と関連して、コードブックベースのプリコーディング手法について説明する。図６は、コードブックベースのプリコーディングの基本概念を説明するための図である。
【００８５】
コードブックベースのプリコーディング方式に従う場合に、送信端と受信端は、伝送ランク、アンテナの個数などによってあらかじめ定められた所定個数のプリコーディング行列を含むコードブック情報を共有することになる。すなわち、フィードバック情報が有限（ｆｉｎｉｔｅ）であれば、プリコーディングベースのコードブック方式を用いることができる。受信端は受信信号からチャネル状態を測定し、上述したコードブック情報に基づいて有限個数の好むプリコーディング行列情報（すなわち、当該プリコーディング行列のインデックス）を送信端にフィードバックすることができる。例えば、受信端ではＭＬ（Ｍａｘｉｍｕｍ  Ｌｉｋｅｌｉｈｏｏｄ）またはＭＭＳＥ（Ｍｉｎｉｍｕｍ  Ｍｅａｎ  Ｓｑｕａｒｅ  Ｅｒｒｏｒ）方式で受信信号を測定して最適のプリコーディング行列を選択することができる。図６では、受信端が送信端にプリコーディング行列情報をコードワード別に伝送する例を示しているが、これに限定されることはない。
【００８６】
受信端からフィードバック情報を受信した送信端は、受信した情報に基づいてコードブックから特定プリコーディング行列を選択することができる。プリコーディング行列を選択した送信端は、伝送ランクに対応する個数のレイヤー信号に、選択したプリコーディング行列を掛ける方式でプリコーディングを行い、プリコーディング済み伝送信号を、複数のアンテナを介して伝送することができる。
【００８７】
送信端でプリコーディングされて伝送された信号を受信した受信端は、送信端でなされたプリコーディングの逆処理を行うことで受信信号を復元することができる。一般に、プリコーディング行列は、Ｕ＊ＵＨ＝Ｉのようなユニタリー行列（Ｕ）条件を満たすので、上述したプリコーディングの逆処理は、送信端のプリコーディングに用いられたプリコーディング行列（Ｐ）のエルミート（Ｈｅｒｍｉｔ）行列（ＰＨ）を受信信号に掛ける方式で行うことができる。
【００８８】
ＳＣ−ＦＤＭＡ伝送及びＯＦＤＭＡ伝送
図７は、移動通信システムにおいてＳＣ−ＦＤＭＡ伝送方式とＯＦＤＭＡ伝送方式を説明するための図である。ＳＣ−ＦＤＭＡ伝送方式はアップリンク伝送に用いられ、ＯＦＤＭＡ伝送方式はダウンリンク伝送に用いられうる。
【００８９】
アップリンク信号伝送主体（例えば、端末）及びダウンリンク信号伝送主体（例えば、基地局）は、直列−並列変換器（Ｓｅｒｉａｌ−ｔｏ−Ｐａｒａｌｌｅｌ  Ｃｏｎｖｅｒｔｅｒ）７０１、副搬送波マッパー７０３、Ｍ−ポイントＩＤＦＴ（Ｉｎｖｅｒｓｅ  Ｄｉｓｃｒｅｔｅ  Ｆｏｕｒｉｅｒ  Ｔｒａｎｓｆｏｒｍ）モジュール７０４及び並列−直列変換器（Ｐａｒａｌｌｅｌ−ｔｏ−Ｓｅｒｉａｌ  Ｃｏｎｖｅｒｔｅｒ）７０５を備える点では同一である。直列−並列変換器７０１に入力される入力信号は、チャネルコーディング及び変調されたデータシンボルである。ただし、ＳＣ−ＦＤＭＡ方式で信号を伝送するためのユーザー機器は、Ｎ−ポイントＤＦＴ（Ｄｉｓｃｒｅｔｅ  Ｆｏｕｒｉｅｒ  Ｔｒａｎｓｆｏｒｍ）モジュール７０２をさらに備え、Ｍ−ポイントＩＤＦＴモジュール７０４のＩＤＦＴ処理の影響をある程度相殺することによって、伝送信号が単一搬送波特性を持つようにすることができる。すなわち、ＤＦＴモジュール７０２では、入力されたデータシンボルをＤＦＴ拡散させることによって、アップリンク伝送で要求される単一搬送波特性（ｓｉｎｇｌｅ  ｃａｒｒｉｅｒ  ｐｒｏｐｅｒｔｙ）を満たすようにすることができる。このようなＳＣ−ＦＤＭＡ伝送方式は、基本的に、良好なＰＡＰＲ（Ｐｅａｋ  ｔｏ  Ａｖｅｒａｇｅ  Ｐｏｗｅｒ  Ｒａｔｉｏ）またはＣＭ（Ｃｕｂｉｃ  Ｍｅｔｒｉｃ）を提供し、アップリンク送信機が電力制限の状況にある場合にもより効率的に伝送可能にし、ユーザー収率を向上させることができる。
【００９０】
ＨＡＲＱ（Ｈｙｂｒｉｄ  Ａｕｔｏｍａｔｉｃ  Ｒｅｐｅａｔ  ｒｅＱｕｅｓｔ）
データの受信失敗に対する制御方法として、次のようなＨＡＲＱ動作を適用することができる。データ送信側で一つのパケットを伝送した後に、データ受信側からＡＣＫ信号を受信すると、新しいパケットを伝送し、ＮＡＣＫ信号を受信すると、既に伝送されたパケットを再伝送することができる。この時、順方向誤り訂正（ＦＥＣ；Ｆｏｒｗａｒｄ  Ｅｒｒｏｒ  Ｃｏｒｒｅｃｔｉｏｎ）機能を有するコーディングが適用されたパケットを再伝送することができる。そのため、データ受信側では、一つのパケットを受信してデコーディングした結果、デコーディングに成功した場合にはＡＣＫ信号を伝送し、デコーディングに失敗した場合にはＮＡＣＫを伝送し、受信されたパケットをバッファーに保存する。そして、当該ＮＡＣＫ信号に応じた再伝送パケットを受信すると、バッファーに保存されているパケットと結合させてデコーディングを行うことで、パケットの受信成功率を高める。
【００９１】
ＨＡＲＱ方式は、再伝送するタイミングによって、同期式（ｓｙｎｃｈｒｏｎｏｕｓ）ＨＡＲＱ方式と非同期式（ａｓｙｎｃｈｒｏｎｏｕｓ）ＨＡＲＱ方式とに区別することができる。同期式ＨＡＲＱ方式において、初期伝送に失敗した場合に、以降の再伝送は、システムにより定められた時点に行われる。例えば、初期伝送の失敗後に毎４番目の時間単位に再伝送が行われるように定められた場合には、再伝送時点に関する情報をさらに受信側に知らせる必要がない。そのため、データ送信側ではＮＡＣＫ信号を受信した場合に、ＡＣＫ信号を受けるまで毎４番目の時間単位にパケットを再伝送する。一方、非同期式ＨＡＲＱ方式では、再伝送時点に関する情報が別途にスケジューリングされる。そのため、ＮＡＣＫ信号に相応するパケットの再伝送時点は、チャネル状態などの様々な要件に応じて変更可能である。
【００９２】
また、再伝送時に用いるリソースの量にチャネル状態を反映するか否かによって適応的（ａｄａｐｔｉｖｅ）ＨＡＲＱ方式と非−適応的（ｎｏｎ−ａｄａｐｔｉｖｅ）ＨＡＲＱ方式とに区別することができる。非−適応的ＨＡＲＱ方式は、再伝送時に、パケットのＭＣＳレベル、巡回シフト（Ｃｙｃｌｉｃ  Ｓｈｉｆｔ；ＣＳ）インデックス、ＰＨＩＣＨリソース、用いられるリソースブロックの数などを、初期伝送時に定められた通りにする。例えば、送信側で初期伝送時に８個のリソースブロックを用いてデータを伝送するとすれば、以降の再伝送時にも同様に８個のリソースブロックを用いて再伝送を行う。一方、適応的方式は、パケットの変調方式、用いられるリソースブロックの数などがチャネル状態によって可変する方式である。例えば、初期に８個のリソースブロックを用いて伝送を行ったとしても、以降、チャネル状態によっては８個より大きいまたは小さい数のリソースブロックを用いて再伝送を行うことができる。
【００９３】
単一アンテナを有する端末のアップリンクデータ伝送において同期式ＨＡＲＱ方式を適用することができる。アップリンクデータ伝送に対するＨＡＲＱ  ＡＣＫ／ＮＡＣＫ信号は、ダウンリンク制御チャネルのうち、物理ＨＡＲＱ指示子チャネル（ＰＨＩＣＨ）または物理ダウンリンク制御チャネル（ＰＤＣＣＨ）を通じて指示する。ＰＨＩＣＨが用いられる時は非−適応的ＨＡＲＱ方式を行い、ＰＤＣＣＨが用いられる時は適応的ＨＡＲＱ方式を行うことができる。
【００９４】
ＰＨＩＣＨは、１ビット（ｂｉｔ）のＡＣＫ／ＮＡＣＫ情報を伝送し、ビット状態（ｂｉｔ  ｓｔａｔｅ）０はＡＣＫを意味し、１はＮＡＣＫを意味する。１ビットの情報はＢＰＳＫ（Ｂｉｎａｒｙ  Ｐｈａｓｅ  Ｓｈｉｆｔ  Ｋｅｙｉｎｇ）方式で変調（ｍｏｄｕｌａｔｉｏｎ）される。ＰＨＩＣＨを用いる場合に、非−適応的ＨＡＲＱ方式で動作するようになるが、あらかじめ定められたパターンに従ってリダンダンシーバージョン（Ｒｅｄｕｎｄａｎｃｙ  Ｖｅｒｓｉｏｎ；ＲＶ）は異なることがある。
【００９５】
ＰＤＣＣＨは、アップリンク／ダウンリンクデータ伝送のための制御情報を含むチャネルであり、端末は、アップリンク制御情報を獲得することによってアップリンクデータ伝送をすることができる。アップリンク伝送をスケジューリングするダウンリンク制御情報（ＤＣＩ）はアップリンクグラント（ＵＬ  ｇｒａｎｔ）ということができる。このような制御情報には、リソース割当情報（Ｒｅｓｏｕｒｃｅ  Ａｌｌｏｃａｔｉｏｎ  Ｉｎｆｏｒｍａｔｉｏｎ）、変調及びコーディング手法レベル（Ｍｏｄｕｌａｔｉｏｎ  ａｎｄ  Ｃｏｄｉｎｇ  Ｓｃｈｅｍｅ（ＭＣＳ）  ｌｅｖｅｌ）、新規データ指示子（Ｎｅｗ  Ｄａｔａ  Ｉｎｄｉｃａｔｏｒ；ＮＤＩ）、電力制御情報（Ｐｏｗｅｒ  Ｃｏｎｔｒｏｌ  Ｉｎｆｏｒｍａｔｉｏｎ）などを含むことができる。ＮＤＩは、１ビットで与えられ、伝送されるべきデータが新しいデータである場合に、以前ＮＤＩビット状態と異なるビット状態を有することとなる。すなわち、ＮＤＩ値がトグル（ｔｏｇｇｌｅ）される。再伝送の場合に、以前ＰＤＣＣＨのＮＤＩビットの状態と同じビット状態として伝送される。すなわち、ＮＤＩ値がトグリングされない。ＰＤＣＣＨを通じてＭＣＳを指示できるので、適応的ＨＡＲＱ方式が可能である。
【００９６】
３ＧＰＰ  ＬＴＥシステムにおいて、アップリンクＨＡＲＱは同期式ＨＡＲＱ方式と定義され、最大再伝送回数（Ｍａｘｉｍｕｍ  ｎｕｍｂｅｒ  ｏｆ  ｒｅｔｒａｎｓｍｉｓｓｉｏｎ）は端末ごとに構成される。アップリンク伝送／再伝送に応答するダウンリンクＡＣＫ／ＮＡＣＫ信号は、ＰＨＩＣＨを通じて伝送される。アップリンクＨＡＲＱ動作は、下記のような規則に従う。  １）ＨＡＲＱフィードバック（ＡＣＫまたはＮＡＣＫ）の内容にかかわらず、端末のＣ−ＲＮＴＩを指示するＰＤＣＣＨが正しく受信されると、端末は、ＰＤＣＣＨにより指示される動作、すなわち、伝送または再伝送を行うことができる（これを適応的再伝送ということができる）。
【００９７】
２）端末のＣ−ＲＮＴＩを指示するＰＤＣＣＨが検出されない場合に、ＨＡＲＱフィードバックは、端末が再伝送を行う方法を指示することができる。ＨＡＲＱフィードバックがＮＡＣＫの場合に、端末は非−適応的再伝送を行う。すなわち、同一のＨＡＲＱプロセスにより、以前に用いられたのと同じアップリンクリソースを用いて再伝送を行う。ＨＡＲＱフィードバックがＡＣＫの場合に、端末は、アップリンク伝送／再伝送を行わず、ＨＡＲＱバッファーにデータを保持する。再伝送を行うためには、ＰＤＣＣＨを通じた指示が要求される。すなわち、非−適応的再伝送が行われない。
【００９８】
一方、測定ギャップ（Ｍｅａｓｕｒｅｍｅｎｔ  ｇａｐｓ）は、ＨＡＲＱ再伝送よりも高い優先順位（ｈｉｇｈｅｒ  ｐｒｉｏｒｉｔｙ）を有する。すなわち、ＨＡＲＱ再伝送が測定ギャップと衝突する場合に、ＨＡＲＱ再伝送が行われない。
【００９９】
前述したアップリンクＨＡＲＱ動作は、表１のように整理できる。
【０１００】
【表１】
0005887435.tif 000035
アップリンクＨＡＲＱ動作のより具体的な内容は、３ＧＰＰ  ＬＴＥ標準（例えば、３ＧＰＰ  ＴＳ  ３６．３００  Ｖ８．６．０）を参照すればよい。
【０１０１】
既存の３ＧＰＰ  ＬＴＥシステム（例えば、３ＧＰＰ  ＬＴＥリリーズ−８システム）では、端末から基地局へのアップリンク信号伝送に多重アンテナ伝送手法を適用する場合に、ＰＡＰＲ（Ｐｅａｋ−ｔｏ−Ａｖｅｒａｇｅ  Ｒａｔｉｏ）／ＣＭ（Ｃｕｂｉｃ  Ｍｅｔｒｉｃ）特性劣化の問題などから、基地局から端末へのダウンリンク信号伝送についてのみ多重アンテナ伝送手法を規定している。ただし、端末が基地局に伝送するアップリンク信号についても、伝送率の増大、ダイバーシティ利得の獲得などのために、多重アンテナ伝送手法を適用する方向に論議されており、３ＧＰＰ  ＬＴＥシステムの後続標準（例えば、３ＧＰＰ  ＬＴＥリリーズ−１０または後続リリーズ、または３ＧＰＰ  ＬＴＥ−Ａ）では、アップリンク信号伝送にも多重アンテナ伝送手法を適用する方案について論議されている。
【０１０２】
アップリンク信号伝送に多重アンテナ伝送手法を適用するに当たり、アップリンク伝送主体（例えば、端末）が２または４個の送信アンテナを有することを考慮でき、制御信号のオーバーヘッドを減らすために、最大２個のコードワードをアップリンクを通じて伝送することを考慮することができる。アップリンクを通じて多重コードワードを伝送するシステムにおいて、アップリンク受信主体（例えば、基地局）は、それぞれのコードワードの検出（またはデコーディング）成功／失敗をアップリンク伝送主体（例えば、端末）に知らせることが要求される。そのために、アップリンク受信主体はそれぞれのコードワードに対するＨＡＲＱ確認応答（ＡＣＫ／ＮＡＣＫ）信号をアップリンク伝送主体に伝送することができる。２個のコードワードのアップリンク伝送に対して、アップリンク伝送主体の受信したダウンリンクＨＡＲＱフィードバックがＡＣＫなのかまたはＮＡＣＫなのかによる新規データ伝送または再伝送の動作は、表２のように定義することができる。
【０１０３】
【表２】
0005887435.tif 000036
非−ブランキング動作の場合に、ＡＣＫを受信したコードワードに対しては新しいデータを伝送し、ＮＡＣＫを受信したコードワードに対しては再伝送を行う。一方、ブランキング動作の場合に、両コードワードに対していずれもＡＣＫを受信すると、両コードワードに対して新しいデータを伝送し、両コードワードのいずれか一方に対してはＡＣＫを受信し、残り他方のコードワードに対してはＮＡＣＫを受信すると、ＡＣＫのコードワードに対しては何らの伝送もせず、ＮＡＣＫのコードワードは再伝送を試みる。両コードワードに対していずれもＮＡＣＫを受信すると、両コードワードに対して再伝送を行う。
【０１０４】
以下では、前述のアップリンク多重コードワード伝送に対するＨＡＲＱ動作において、ＰＨＩＣＨ上の制御情報構成方案、プリコーダ選択方案、ＰＨＩＣＨリソース選択方案、復調参照信号（ＤｅＭｏｄｕｌａｔｉｏｎ  Ｒｅｆｅｒｅｎｃｅ  Ｓｉｇｎａｌ；ＤＭＲＳ）リソース選択方案、ＰＨＩＣＨ及びＰＤＣＣＨを通じた端末のＨＡＲＱ動作方案、及びＰＤＣＣＨ上のダウンリンク制御情報（ＤＣＩ）構成方案に関する本発明の様々な実施例について説明する。
【０１０５】
１．アップリンク多重コードワードＨＡＲＱ動作のためのＰＨＩＣＨの構成
前述のように、アップリンクデータ伝送のためのＨＡＲＱは同期式で動作し、アップリンクデータ伝送に対するＨＡＲＱ  ＡＣＫ／ＮＡＣＫ制御情報を含むＰＨＩＣＨは、アップリンクデータ送信周期に合わせてあらかじめ定められた時間後に伝送される。ＰＨＩＣＨで表示するＡＣＫ／ＮＡＣＫ状態（ｓｔａｔｅ）によってアップリンク伝送主体はアップリンクデータを再伝送するか否かを判断することができる。ＡＣＫ／ＮＡＣＫの状態は１ビットで表現することができ、この情報は、変調及びエンコーディング、または変調及びシーケンスマッピング（ｓｅｑｕｅｎｃｅ  ｍａｐｐｉｎｇ）後にＰＨＩＣＨを通じて伝送される。
【０１０６】
アップリンクデータ伝送において多重コードワードが用いられることがある。多重コードワードは、前述のような多重アンテナ伝送手法で用いることができる。または、多重コードワードは、多重搬送波技術（または、搬送波組み合わせ技術）で用いてもよい。本文書で、多重コードワード伝送を多重アンテナ伝送手法または多重搬送波技術に適用することができる。
【０１０７】
一つのコードワードに対するＡＣＫ／ＮＡＣＫ状態を表示するために１ビットの情報が要求されるので、Ｎ個のコードワードに対するＡＣＫ／ＮＡＣＫ状態を表示するためにＮビットの情報が要求される。例えば、２コードワードを有するシステムにおいてそれぞれのコードワードのＡＣＫ／ＮＡＣＫ状態を表すためには総２ビットが要求される。すなわち、第１及び第２のコードワードに対してそれぞれＡＣＫ及びＡＣＫ、ＡＣＫ及びＮＡＣＫ、ＮＡＣＫ及びＡＣＫ、またはＮＡＣＫ及びＮＡＣＫの状態が存在し、これは２ビットで表現することができる。Ｎビットの情報を様々な方法によりＰＨＩＣＨ上で伝送することができる。
【０１０８】
実施例１−Ａとして、多重コードワードのためのＡＣＫ／ＮＡＣＫ信号を、既存のＢＰＳＫ変調方式よりも高い次数の変調方式で変調することができる。例えば、２個のコードワードに対するＡＣＫ／ＮＡＣＫを２ビットで表現することができるが、２ビットをＱＰＳＫ（Ｑｕａｄｒａｔｕｒｅ  Ｐｈａｓｅ  Ｓｈｉｆｔ  Ｋｅｙｉｎｇ）方式で変調することができる。２以上のコードワード伝送のように、ＡＣＫ／ＮＡＣＫ状態を表現するためにより多いビットが要求される時は、Ｎ−ＰＳＫ、Ｎ−ＱＡＭ（Ｑｕａｄｒａｔｕｒｅ  Ａｍｐｌｉｔｕｄｅ  Ｍｏｄｕｌａｔｉｏｎ）などで変調することができる。ＱＰＳＫ方式を用いる場合に、総４状態に対するポイントは、１＋ｊ、１−ｊ、−１−ｊ、−１＋ｊと表現できる。または、ＱＰＳＫは、１、−１、ｊ、−ｊなどと表現されてもよい。ＱＰＳＫ方式においてそれぞれのポイントは電力正規化（ｐｏｗｅｒ  ｎｏｒｍａｌｉｚａｔｉｏｎ）されてもよい。
【０１０９】
実施例１−Ｂとして、多重コードワードのためのＡＣＫ／ＮＡＣＫ信号を、多重ＰＨＩＣＨ上で伝送することができる。ここで、それぞれのＰＨＩＣＨは、一つのコードワードに対する１ビットのＡＣＫ／ＮＡＣＫ情報を含むことができる。例えば、２個のコードワードに対して２個のＰＨＩＣＨ上でＡＣＫ／ＮＡＣＫ情報を伝送することができる。
【０１１０】
実施例１−Ｃとして、多重コードワードのためのＡＣＫ／ＮＡＣＫ信号を、一つのＰＨＩＣＨ上で１ビットで表現することができる。１ビットを用いてはＡＣＫまたはＮＡＣＫのみを表現することができる。例えば、２個のコードワードに対していずれもデコーディングに成功した場合はＡＣＫを伝送し、２個のコードワードのいずれか一方でもデコーディングに失敗した場合はＮＡＣＫを伝送する。他の例として、２個のコードワードのいずれか一方でもデコーディングに成功した場合はＡＣＫを伝送し、２個のコードワードのいずれに対してもデコーディングに失敗した場合はＮＡＣＫを伝送することができる。
【０１１１】
以下では、ＰＨＩＣＨによるアップリンク多重コードワードＨＡＲＱ再伝実行方案について説明する。
【０１１２】
アップリンク伝送に関するスケジューリング情報を提供するＰＤＣＣＨが検出されない状況で、端末がＰＨＩＣＨを通じて指示される情報を用いてＨＡＲＱ動作を行う場合を仮定する。そのような場合、アップリンクＭＩＭＯ伝送において多重コードワード（ＭＣＷ）に対する再伝送動作に関する本発明の実施例について説明する。
【０１１３】
一例として、アップリンク多重コードワード伝送に対して多重ＰＨＩＣＨが伝送される場合に、それぞれのコードワードに対するＡＣＫ／ＮＡＣＫ状態に基づく再伝送動作は、表３のように定義できる。アップリンク伝送主体（例えば、端末）は、ＮＡＣＫのコードワードに対してのみ再伝送を行い、ＡＣＫのコードワードは再伝送をしない。そして、２個のコードワードがいずれもＡＣＫの場合に、両コードワードとも伝送しない。
【０１１４】
【表３】
0005887435.tif 000037
表３で、「伝送／再伝送無し」に該当するコードワードでは何ら信号も伝送しない。すなわち、ヌル（ｎｕｌｌ）信号が伝送される。ＮＡＣＫ状態（ｓｔａｔｅ）を有するコードワードは信号を伝送し、ＡＣＫ状態を有するＣＷは信号を伝送しない。
【０１１５】
ＡＣＫ状態（ｓｔａｔｅ）を有するコードワード（または伝送ブロック）の動作は、信号が伝送されないと表現してもよく、または、ゼロ伝送ブロック（ｚｅｒｏ  ｔｒａｎｓｐｏｒｔ  ｂｌｏｃｋ）に設定（ｓｅｔｔｉｎｇ）されると表現してもよい。
【０１１６】
一方、２個のコードワードのいずれか一方に対してのみ再伝送が行われる場合に、プリコーダの電力は、信号を伝送しないコードワードがマッピングされるレイヤーの個数を考慮して所定の割合で増加（ｓｃａｌｅｕｐ）するとよい。
【０１１７】
次に、アップリンク多重コードワード伝送に適用されるプリコーダに対する本発明の提案について説明する。
【０１１８】
２．アップリンクＭＩＭＯ伝送におけるプリコーダ
前述のように、３ＧＰＰ  ＬＴＥ−Ａ（ＬＴＥ  Ｒｅｌｅａｓｅ−１０）システムにおいてアップリンク伝送収率を増大させるために、アップリンク多重アンテナ伝送方式を適用することができる。アップリンク多重アンテナ伝送に適用できる技術として、空間多重化（ｓｐａｔｉａｌ  ｍｕｌｔｉｐｌｅｘｉｎｇ）を目的とする任意の一つの端末上の多重伝送ストリームまたは多重伝送レイヤー伝送方式を適用することができるが、これをＳＵ−ＭＩＭＯ方式と呼ぶことができる。このようなアップリンクＳＵ−ＭＩＭＯ方式において、個別伝送ストリームまたは任意の伝送ストリームグループ別にリンク適応（ｌｉｎｋ  ａｄａｐｔａｔｉｏｎ）を適用することができる。リンク適応を適用するために、区分されるＭＣＳ（Ｍｏｄｕｌａｔｉｏｎ  ａｎｄ  Ｃｏｄｉｎｇ  Ｓｃｈｅｍｅ）を適用できるが、そのためにアップリンクで複数コードワード（Ｍｕｌｔｉｐｌｅ  Ｃｏｄｅ  Ｗｏｒｄ；ＭＣＷ）ベースの伝送を行うことができる。
【０１１９】
多重コードワード（ＭＣＷ）を用いるＭＩＭＯ構造において、例えば、同時に最大２個のコードワードが伝送されることを考慮することができる。このようなＭＩＭＯ伝送のためには、送信端が用いる変調及びコーディング手法に関するＭＣＳ（Ｍｏｄｕｌａｔｉｏｎ  ａｎｄ  Ｃｏｄｉｎｇ  Ｓｃｈｅｍｅ）情報、伝送されるデータが新しいデータなのか、再伝送されるデータなのかに関する新規データ指示子（Ｎｅｗ  Ｄａｔａ  Ｉｎｄｉｃａｔｏｒ；ＮＤＩ）、再伝送であれは、どのサブパケットを再伝送するかを示すリダンダンシーバージョン（Ｒｅｄｕｎｄａｎｃｙ  Ｖｅｒｓｉｏｎ；ＲＶ）情報などが必要である。ＭＣＳ、ＮＤＩ、ＲＶ情報などは伝送ブロックごとに定義できる。
【０１２０】
複数個の伝送ブロックは、伝送ブロック−対−コードワードマッピング規則（ｔｒａｎｓｐｏｒｔ  ｂｌｏｃｋ−ｔｏ−ｃｏｄｅｗｏｒｄ  ｍａｐｐｉｎｇ  ｒｕｌｅ）に従って複数個のコードワードにマッピングすることができる。例えば、２個の伝送ブロックを、ＴＢ１及びＴＢ２と表現でき、２個のコードワードは、ＣＷ０及びＣＷ１と表現するとする。２個の伝送ブロック（ＴＢ１及びＴＢ２）が両方とも活性化した場合に、第１伝送ブロック（ＴＢ１）を第１コードワード（ＣＷ０）に、第２伝送ブロック（ＴＢ２）を第２コードワード（ＣＷ１）にマッピングすることができる。または、伝送ブロック−対−コードワードスワップフラグ（ｓｗａｐ  ｆｌａｇ）の値に基づいて第１伝送ブロック（ＴＢ１）を第２コードワード（ＣＷ１）に、第２伝送ブロック（ＴＢ２）を第１コードワード（ＣＷ０）にマッピングしてもよい。一方、２個の伝送ブロックのいずれか一方が非活性化し、いずれか他方のみ活性化する場合に、活性化した一つの伝送ブロックを第１コードワード（ＣＷ０）にマッピングすることができる。すなわち、伝送ブロックとコードワードは一対一マッピングされる関係を有する。また、伝送ブロックが非活性化する場合として、伝送ブロックの大きさが０の場合を含む。伝送ブロックの大きさが０の場合には、当該伝送ブロックはコードワードにマッピングされない。
【０１２１】
図８は、アップリンク複数コードワードベースのＳＵ−ＭＩＭＯ伝送構成を説明するためのブロック図である。
【０１２２】
エンコーダにより符号化過程を経た一つ以上のコードワードを、端末特定スクランブリング信号を用いてスクランブリングすることができる。スクランブリングされたコードワードを、伝送信号の種類及び／またはチャネル状態に応じてＢＰＳＫ、ＱＰＳＫ、１６ＱＡＭまたは６４ＱＡＭ方式で複素シンボルに変調する。その後、変調された複素シンボルを、一つ以上のレイヤーにマッピングする。もし、単一アンテナを用いて信号を伝送する場合は、一つのコードワードは一つのレイヤーにそのままマッピングされて伝送される。しかし、多重アンテナを用いて信号を伝送する場合には、コードワード−対−レイヤーマッピング関係は、伝送方式によって下記の表４及び表５の通りになりうる。
【０１２３】
【表４】
0005887435.tif 000038
【０１２４】
【表５】
0005887435.tif 000039
上記の表４は、空間多重化（Ｓｐａｔｉａｌ  Ｍｕｌｔｉｐｌｅｘｉｎｇ）方式で信号を伝送する場合の例であり、表５は、伝送ダイバーシティ（Ｔｒａｎｓｍｉｔ  Ｄｉｖｅｒｓｉｔｙ）方式で信号を伝送する場合の例を示している。また、上記の表４及び表５において、ｘ（ａ）（ｉ）は、インデックスａを持つレイヤーのｉ番目のシンボルを表し、ｄ（ａ）（ｉ）は、インデックスａを持つコードワードのｉ番目のシンボルを表す。上記の表４及び表５の「Ｎｕｍｂｅｒ  ｏｆ  ｌａｙｅｒｓ」項目と「Ｎｕｍｂｅｒ  ｏｆ  ｃｏｄｅｗｏｒｄｓ」項目から、伝送に用いられるコードワード個数及びレイヤー個数のマッピング関係がわかり、「Ｃｏｄｅｗｏｒｄ−ｔｏ−Ｌａｙｅｒ  ｍａｐｐｉｎｇ」項目から、各コードワードのシンボルがどのようにレイヤーにマッピングされるかがわかる。
【０１２５】
上記の表４及び表５からわかるように、一つのコードワードは一つのレイヤーにシンボル単位にマッピングされて伝送されてもよいが、表５における２段目の場合のように、一つのコードワードが最大４個のレイヤーに分散してマッピングされてもよい。このように、一つのコードワードが複数のレイヤーに分散してマッピングされる場合に、各コードワードをなすシンボルは、レイヤー別に順次にマッピングされて伝送されることがわかる。一方、単一コードワードベースの伝送構成の場合には、エンコーダ及び変調ブロックが一つずつのみ存在する。
【０１２６】
このようにレイヤーマッピングされた信号に離散フーリエ変換（Ｄｉｓｃｒｅｔｅ  Ｆｏｕｒｉｅｒ  Ｔｒａｎｓｆｏｒｍ；ＤＦＴ）を適用することができる。また、レイヤーマッピングされた信号に、チャネル状態に応じて選択された所定プリコーディング行列を掛け、各伝送アンテナに割り当てることができる。ＤＦＴ−ｓ−ＯＦＤＭＡ構成において所定のプリコーディングを適用しながら端末の伝送ＰＡＰＲ（またはＣＭ）を増加させないように、プリコーディングはＤＦＴ適用後の周波数領域（ｆｒｅｑｕｅｎｃｙ  ｄｏｍａｉｎ）上で行われるようにすることができる。
【０１２７】
このように処理された各アンテナ別伝送信号をそれぞれ、伝送に用いられる時間−周波数リソース要素にマッピングし、以降、ＯＦＤＭ信号生成器を経て各アンテナから伝送することができる。
【０１２８】
正確なアップリンク多重アンテナ伝送のために、次の過程を行うことを考慮することができる。まず、端末が基地局に参照信号を伝送し、基地局は、受信した参照信号から、端末から基地局へのアップリンクの空間チャネル情報を獲得することができる。基地局は、獲得した空間チャネル情報に基づいて、アップリンク伝送に適するランクを選択し、プリコーディング重み値を獲得し、チャネル品質情報（ＣＱＩ）を計算することができる。基地局は端末にアップリンク信号伝送のための制御情報を知らせることができる。このような制御情報には、アップリンク伝送リソース割当情報、ＭＩＭＯ情報（ランク、プリコーディング重み値など）、ＭＣＳレベル、ＨＡＲＱ情報（ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）など）、アップリンク復調−参照信号（ＤＭ−ＲＳ）のためのシーケンス情報などを含むことができる。端末は、基地局から指示された上のような制御情報を用いてアップリンク信号を伝送することができる。このようなアップリンク伝送のための制御情報は、アップリンクグラント（ＵＬ  ｇｒａｎｔ）ＰＤＣＣＨのＤＣＩフォーマットのフィールドを通じて端末に提供することができる。
【０１２９】
図８で示すアップリンクＭＩＭＯ伝送に対するプリコーディングの適用についてより具体的に説明する。プリコーディングとは、空間チャネルで信号を伝送するために、重みベクトル（Ｗｅｉｇｈｔ  Ｖｅｃｔｏｒ）または重み行列（Ｗｅｉｇｈｔ  Ｍａｔｒｉｘ）を伝送信号と結合する段階を意味する。図８のプリコーディングブロックを通じて伝送ダイバーシティ（Ｔｒａｎｓｍｉｔ  Ｄｉｖｅｒｓｉｔｙ）または長期間ビームフォーミング（Ｌｏｎｇ−ｔｅｒｍ  Ｂｅａｍｆｏｒｍｉｎｇ）、プリコーディング方式空間多重化（Ｐｒｅｃｏｄｅｄ  Ｓｐａｔｉａｌ  Ｍｕｌｔｉｐｌｅｘｉｎｇ）などの手法を具現することができる。プリコーディング方式空間多重化手法を效果的に支援するために、プリコーディング加み値をコードブックの形態に構成できる。表６乃至表１０は、アップリンク伝送においてＣＭを増加させないために用いられるコードブックの例を示す。
【０１３０】
下記の表６は、２個の伝送アンテナを用いたアップリンク空間多重化伝送手法で用いられうるプリコーディングコードブックの一例を示す。２個の伝送アンテナが用いられる場合に、ランク１伝送に対して総６個のプリコーディング行列のいずれか一つを用いることができ、ランク２伝送に対して総１個のプリコーディング行列を用いることができる。
【０１３１】
【表６】
0005887435.tif 000040
上記の表６で、ランク１伝送に対するコードブックインデックス４及び５が表すプリコーディング行列は、アンテナ利得不均衡（Ａｎｔｅｎｎａ  Ｇａｉｎ  Ｉｍｂａｌａｎｃｅ；ＡＧＩ）状況に対応するために、あるアンテナを介した伝送をオフにする（ｔｕｒｎ−ｏｆｆ）ベクトルとして用いられてもよい。
【０１３２】
下記の表７は、４個の伝送アンテナを用いたアップリンク空間多重化伝送手法で１個のレイヤー伝送（すなわち、ランク１伝送）のために用いられうる６ビット大きさのプリコーディングコードブックに含まれるプリコーディング行列を示す。４伝送アンテナランク１伝送に対して総２４個のプリコーディング行列のいずれか一つを用いることができる。
【０１３３】
【表７】
0005887435.tif 000041
上記の表７のコードブックインデックス１６乃至２３が示すプリコーディング行列は、アンテナ利得不均衡（ＡＧＩ）状況に対応するために、あるアンテナを介した伝送をオフにする（ｔｕｒｎ−ｏｆｆ）ベクトルとして用いられてもよい。
【０１３４】
下記の表８は、４個の伝送アンテナを用いたアップリンク空間多重化伝送手法で２個のレイヤー伝送（すなわち、ランク２伝送）のために用いられうるプリコーディングコードブックに含まれるプリコーディング行列を示す。４伝送アンテナランク２伝送に対して総１６個のプリコーディング行列のいずれか一つを用いることができる。
【０１３５】
【表８】
0005887435.tif 000042
下記の表９は、４個の伝送アンテナを用いたアップリンク空間多重化伝送手法で３個のレイヤー伝送（すなわち、ランク３伝送）のために用いられうるプリコーディングコードブックに含まれるプリコーディング行列を示す。４伝送アンテナランク３伝送に対して総１２個のプリコーディング行列のいずれか一つを用いることができる。
【０１３６】
【表９】
0005887435.tif 000043
表１０は、４個の伝送アンテナを用いたアップリンク空間多重化伝送手法で４個のレイヤー伝送（すなわち、ランク４伝送）のために用いられうるプリコーディングコードブックに含まれるプリコーディング行列を示す。４伝送アンテナランク４伝送に対して総１個のプリコーディング行列を用いることができる。
【０１３７】
【表１０】
0005887435.tif 000044
一方、アップリンクグラント（ＵＬ  ｇｒａｎｔ）ＰＤＣＣＨによって２個の伝送ブロック（または、２個のコードワード）伝送が指示される場合には、このようなアップリンク伝送に適用されるプリコーダを指示することができる。このようなアップリンクグラントにしたがって端末が２個の伝送ブロックを伝送した場合に、基地局からのＰＨＩＣＨが、いずれか一つの伝送ブロック（またはコードワード）はデコーディングに成功し（すなわち、ＡＣＫ）、残り他方の伝送ブロック（またはコードワード）はデコーディングに失敗（すなわち、ＮＡＣＫ）したことを示す場合を仮定することができる。そのような場合に、伝送に成功した伝送ブロック（またはコードワード）はゼロ伝送ブロック（Ｚｅｒｏ  ｔｒａｎｓｐｏｒｔ  ｂｌｏｃｋ）と設定し、伝送に失敗した伝送ブロック（またはコードワード）に対する再伝送を試みることができる。この時、以前の２個の伝送ブロック伝送に対してアップリンクグラントにより指示されたプリコーダを、１個の伝送ブロックの伝送に対して用いることができる。すなわち、アップリンクグラントにより指示されたプリコーダは、多重伝送ブロック（または多重コードワード）を伝送するために選択されたプリコーダであるが、再伝送時にはいずれか一方の伝送ブロック（またはコードワード）は伝送せず、いずれか他方の伝送ブロック（またはコードワード）のみ伝送するので、アップリンクグラントにより指示されたプリコーダの一部の列（ｃｏｌｕｍｎ）のみデータ伝送に用いることができる。言い換えると、アップリンクグラントにより指示されたプリコーダのサブセット（ｓｕｂｓｅｔ）のみを用いてデータ伝送（すなわち、一つの伝送ブロックのみを再伝送）を行うことができる。
【０１３８】
実施例２−Ａ
本実施例によれば、アップリンク２コードワード伝送においてＮＡＣＫのコードワードに対する再伝送に用いるプリコーダのサブセットを決定することができる。
【０１３９】
例えば、２伝送アンテナを用いたランク−２アップリンクＭＩＭＯ伝送のために、図９（ａ）のような単位行列（ｉｄｅｎｔｉｔｙ  ｍａｔｒｉｘ）を用いることができる。この場合、アップリンクグラントによって２個の伝送ブロック（ＴＢ）（またはコードワード（ＣＷ））伝送を行うことができる。ＴＢ１がＣＷ１にマッピングされ、ＴＢ２がＣＷ２にマッピングされると仮定する時に、図９（ａ）のプリコーダの一つの列（ｃｏｌｕｍｎ）はＣＷ１のために用いられ、他の列はＣＷ２のために用いられるとよい。伝送された２個のＴＢ（またはＣＷ）について、ＰＨＩＣＨを通じて一つのＴＢ（またはＣＷ）に対してはＡＣＫが指示され、他のＴＢ（またはＣＷ）に対してはＮＡＣＫが指示される場合には、ＮＡＣＫの指示されたＴＢ（またはＣＷ）のみを再伝送できる。再伝送時にも、アップリンクグラントを通じて指示されたプリコーダ（例えば、図９（ａ）のプリコーダ）を用いることができる。この場合、プリコーダ観点の動作においては、プリコーダのサブセットが用いられると表現できる。例えば、ＴＢ１がＣＷ１にマッピングされ、ＴＢ２はＣＷ２にマッピングされると仮定する場合に、ＴＢ１に対してはＡＣＫが指示され、ＴＢ２に対してはＮＡＣＫが指示される時は、ＣＷ２のみを再伝送できる。この場合、図９（ａ）のプリコーダのサブセットである第２の列（２ｎｄ  ｃｏｌｕｍｎ）の値をアップリンクデータ伝送のために適用することができる。このような動作を、下記の数学式１２のように表現できる。
【０１４０】
【数１２】
0005887435.tif 000045
数学式１２では、アップリンク２個のＴＢ（またはＣＷ）において、一つのＴＢ（またはＣＷ）でヌル（すなわち、０）が伝送される場合に、プリコーダの第２の列のみが用いられるのと同じ結果を奏することを示す。
【０１４１】
他の例として、４伝送アンテナを介したランク−３アップリンクＭＩＭＯ伝送のために、図９（ｂ）のような行列を用いることができる。アップリンクグラントによって２個のＴＢ伝送が指示される場合に、２個のＴＢが２個のＣＷにそれぞれマッピングされうる。図９（ｂ）に示すように、プリコーダの一部の列は一つのＣＷのために用い、残りの列は、他のＣＷのために用いることができる。アップリンク伝送された２個のＴＢに対して、端末は、ＰＨＩＣＨを通じたＡＣＫ／ＮＡＣＫを受信することができる。いずれか一つのＣＷはＡＣＫが指示され、いずれか他のＣＷはＮＡＣＫが指示されると、ＡＣＫのＣＷは伝送せず、ＮＡＣＫのＣＷの再伝送を行うことができる。再伝送時にも、アップリンクグラントを通じて指示されたプリコーダ（例えば、図９（ｂ）のプリコーダ）を用いることができる。この場合、プリコーダ観点の動作においては、プリコーダのサブセットが用いられると表現できる。伝送に用いられるＣＷのマッピングされる列をアップリンクデータ伝送に用いる。すなわち、図９（ｂ）のプリコーダのサブセットである第２及び第３の列（２ｎｄ  ａｎｄ  ３ｒｄ  ｃｏｌｕｍｎｓ）の値をアップリンクデータ伝送のために適用することができる。このような動作を、下記の数学式１３のように表現できる。
【０１４２】
【数１３】
0005887435.tif 000046
数学式１３では、アップリンク２個のＴＢ（またはＣＷ）において、一つのＴＢ（またはＣＷ）でヌル（すなわち、０）が伝送される場合に、プリコーダの第２列及び第３の列のみが用いられるのと同じ結果を奏することを示す。
【０１４３】
実施例２−Ｂ
本実施例によれば、アップリンク再伝送に用いられるプリコーダを決定するとができる。
【０１４４】
上述した通り、アップリンク伝送に用いられるプリコーダは、アップリンクグラント（ＵＬ  ｇｒａｎｔ）を通じて指示される。この時、アップリンクグラントには、ＴＢ（またはＣＷ）のためのＭＣＳレベル、新しいデータ伝送なのかまたは再伝送なのかを知らせる情報を含むことができる。多重ＴＢ（またはＣＷ）が伝送される場合に、ＮＤＩの指示にしたがって当該ＴＢに対して新規データ伝送または再伝送を行うことができる。
【０１４５】
また、アップリンクグラントは、ＨＡＲＱプロセス番号（ＨＡＲＱ  ｐｒｏｃｅｓｓ  ｎｕｍｂｅｒ）で区別可能である。
【０１４６】
例えば、同一のＨＡＲＱプロセス番号を有するアップリンクグラント（例えば、最初伝送（ｉｎｉｔｉａｌ  ｔｒａｎｓｍｉｓｓｉｏｎ）をスケジューリングする前に受信されたアップリンクグラントなど）で指示されたプリコーダを再伝送時に用いることができる。
【０１４７】
言い換えると、アップリンクグラント無しでアップリンクＭＩＭＯ伝送が行われる場合（例えば、ＰＨＩＣＨがＮＡＣＫを指示することによって同期式非適応的ＨＡＲＱ再伝送が行われる場合に、再伝送のためのアップリンクグラントが提供されない。）に用いられるプリコーダは、指示されたＨＡＲＱプロセス番号と同じＨＡＲＱプロセス番号を有するアップリンクグラントのうち、最も最近に受信したアップリンクグラントで指示されるプリコーダである。
【０１４８】
同じＨＡＲＱプロセス番号を有し、最も最近に受信したアップリンクグラントで指示されるプリコーダを用いてアップリンク再伝送を行う場合に、一つのＣＷに対してはＡＣＫを受信し、他のＣＷに対してはＮＡＣＫを受信すると、ＡＣＫに該当するＣＷはゼロ伝送ブロック（Ｚｅｒｏ  Ｔｒａｎｓｐｏｒｔ  Ｂｌｏｃｋ）と設定し、ＮＡＣＫに該当するＣＷに対してはプリコーダのサブセットを用いて再伝送を試みることができる。
【０１４９】
実施例２−Ｃ
本実施例では、アップリンク２ＣＷ伝送に対してＰＨＩＣＨを通じてＡＣＫ／ＮＡＣＫ情報を受信する場合に、１ＣＷの再伝送が行われる時に適用可能なプリコーダについて説明する。
【０１５０】
前述のように、２つのＴＢ（またはＣＷ）が伝送された時に、いずれか一方のＴＢ（またはＣＷ）はデコーディングに成功し、他方のＴＢ（またはＣＷ）はデコーディングに失敗すると、デコーディングに失敗した側のＴＢ（またはＣＷ）のみを再伝送することができる。それぞれのＴＢ（またはＣＷ）に対するＡＣＫまたはＮＡＣＫ状態から当該ＴＢ（またはＣＷ）のデコーディング成功／失敗が確認できる。もし、ＰＨＩＣＨを通じて、あるＴＢ（またはＣＷ）に対してＡＣＫ状態を受信すると、端末は当該ＴＢ（またはＣＷ）のデータを伝送せず、ＮＡＣＫ状態を受信すると、端末は当該ＴＢ（またはＣＷ）のデータを伝送する。
【０１５１】
下記の表１１及び表１２は、アップリンク２ＣＷ伝送の例示である。
【０１５２】
【表１１】
0005887435.tif 000047
【０１５３】
【表１２】
0005887435.tif 000048
上記の表１１は、ある時点（例えば、ｔｉｍｅ  ０）でアップリンクグラント（ＵＬ  ｇｒａｎｔ）ＰＤＣＣＨを受信し、アップリンクグラントの指示にしたがって２個のＴＢ（またはＣＷ）が初期（ｉｎｉｔｉａｌ）伝送または再伝送（Ｒｅ−ｔｒａｎｓｍｉｓｓｉｏｎ；Ｒｅ−Ｔｘ）されることを示す。この時、アップリンクグラントで指示されたプリコーダ（すなわち、ＰＭＩ＿（ｔｉｍｅ  ０））を用いることができる。初期伝送または再伝送された２個のＴＢ（またはＣＷ）の両方に対してＮＡＣＫ情報を、ＰＨＩＣＨを通じて受信する場合（ｔｉｍｅ  １）に、２個のＴＢ（またはＣＷ）とも再伝送し、この時、用いられるプリコーダは最も最近のアップリンクグラントＰＤＣＣＨ（ｔｉｍｅ  ０で受信したＵＬ  ｇｒａｎｔ）で指示されたプリコーダ（すなわち、ＰＭＩ＿（ｔｉｍｅ  ０））であることを示す。再伝送された２個のＴＢ（またはＣＷ）について、ＴＢ＿１に対してはＮＡＣＫを、ＴＢ＿２に対してはＡＣＫを、ＰＨＩＣＨを通じて受信する場合（ｔｉｍｅ  ２）に、ＮＡＣＫのＴＢ＿１は再伝送され、ＡＣＫのＴＢ＿２は伝送されない（ｎｏ−ｔｒａｎｓｍｉｓｓｉｏｎ）し、この時に用いられるプリコーダは、最も最近のアップリンクグラントＰＤＣＣＨ（ｔｉｍｅ  ０で受信したＵＬ  ｇｒａｎｔ）で指示されたプリコーダ（すなわち、ＰＭＩ＿（ｔｉｍｅ  ０））であることを示す。再伝送された一つのＴＢ（ＴＢ＿１）に対してＡＣＫを、ＰＨＩＣＨを通じて受信する場合（ｔｉｍｅ  ３）に、それ以上の再伝送は行わない。
【０１５４】
一方、上記の表１２は、ある時点（例えば、ｔｉｍｅ  ０）でアップリンクグラント（ＵＬ  ｇｒａｎｔ）ＰＤＣＣＨを受信し、アップリンクグラントの指示にしたがって２個のＴＢ（またはＣＷ）が初期（ｉｎｉｔｉａｌ）伝送または再伝送（Ｒｅ−Ｔｘ）されることを示す。この時、アップリンクグラントによって指示されたプリコーダ（すなわち、ＰＭＩ＿（ｔｉｍｅ  ０））を用いることができる。初期伝送または再伝送された２個のＴＢ（またはＣＷ）について、ＴＢ＿１に対してはＮＡＣＫを、ＴＢ＿２に対してはＡＣＫを、ＰＨＩＣＨを通じて受信する場合（ｔｉｍｅ  １）に、ＮＡＣＫのＴＢ＿１は再伝送され、ＡＣＫのＴＢ＿２は伝送されない（ｎｏ−ｔｒａｎｓｍｉｓｓｉｏｎ）し、この時に用いられるプリコーダは、最も最近のアップリンクグラントＰＤＣＣＨ（ｔｉｍｅ  ０で受信したＵＬ  ｇｒａｎｔ）で指示されたプリコーダ（すなわち、ＰＭＩ＿（ｔｉｍｅ  ０））であることを示す。再伝送された一つのＴＢ（ＴＢ＿１）に対してＡＣＫを、ＰＨＩＣＨを通じて受信する場合（ｔｉｍｅ  ２）に、それ以上の再伝送は行わない。
【０１５５】
上記のように、再伝送が行われる場合（前述の例示のように、２ＴＢとも再伝送されてもよく、いずれか一つのＴＢのみが再伝送されてもよい。）に、再伝送されるデータ（１個または２個のＴＢ）には、以前伝送におけると同じＭＣＳを用いることができる。この時、多重アンテナ伝送のために定義されたプリコーダ構造（ｐｒｅｃｏｄｅｒ  ｓｔｒｕｃｔｕｒｅ）によって、一つの物理アンテナは一つのレイヤーに対する信号を伝送する構造（例えば、ＣＭ保存コードブック（Ｃｕｂｉｃ  Ｍｅｔｒｉｃ  Ｐｒｅｓｅｒｖｉｎｇ  Ｃｏｄｅｂｏｏｋ）を用いる場合）を考慮することができる。ここで、２個のＴＢ（またはＣＷ）のいずれか一ＴＢ（またはＣＷ）が伝送されない場合には、伝送されないＣＷがマッピングされるレイヤーに対応する物理アンテナではいかなる信号も伝送されなくなる。
【０１５６】
そのため、いずれか一つのＴＢ（またはＣＷ）の再伝送時に、他のＴＢ（またはＣＷ）が伝送されない場合（例えば、２ＴＢ（またはＣＷ）伝送に対して一つのＴＢ（またはＣＷ）に対してのみＡＣＫが受信される場合）に、全物理アンテナを通じてデータ伝送が行われるようにするためには、以前伝送に比べてＭＩＭＯ手法を切り替える必要がある。すなわち、ＰＨＩＣＨでＮＡＣＫが指示されたＴＢ（またはＣＷ）に対する再伝送が行われる時に、ＣＷのマッピングされるレイヤーの個数（すなわち、ランク値）に従うアンテナ伝送手法に、ＭＩＭＯ伝送手法をフォールバック（ｆａｌｌ−ｂａｃｋ）すると、全物理アンテナを通じてデータを伝送することができる。以下では、再伝送される一つのＴＢ（またはＣＷ）がマッピングされるレイヤーの個数にしたがってプリコーディング行列を選択する本実施例の具体的な例示について説明する。
【０１５７】
実施例２−Ｃ−１
本実施例によれば、ＰＨＩＣＨでＮＡＣＫが指示されたＴＢ（またはＣＷ）に対する再伝送が行われる時に、一つのＣＷが一つのレイヤーにマッピングされる場合には、単一アンテナポート伝送モードを適用することができる。単一アンテナポート伝送モードには、ＣＤＤ（Ｃｙｃｌｉｃ  Ｄｅｌａｙ  Ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、長期間ビームフォーミング（ｌｏｎｇ−ｔｅｒｍ  ｂｅａｍｆｏｒｍｉｎｇ）、閉−ループ空間多重化（Ｃｌｏｓｅ−Ｌｏｏｐ  ＳＭ（Ｓｐａｔｉａｌ  Ｍｕｌｔｉｐｌｅｘｉｎｇ））などのように、単一レイヤーが多数の物理アンテナを通じて伝送されるいずれの手法も適用することができる。
【０１５８】
または、一つのＣＷが一つのレイヤーにマッピングされる場合には、単一ランク伝送のためのプリコーダを用いることができる。単一ランク伝送のためのプリコーダは、端末が任意に選択することができる。または、端末と基地局間であらかじめ約束されたプリコーダを用いることもでき、あらかじめ約束されたプリコーダとしては、再伝送の度に異なるプリコーダが選択されてもよい。または、端末と基地局間であらかじめ約束されたプリコーダを用いることもでき、あらかじめ約束されたプリコーダとしては、再伝送の度に同一のプリコーダが選択されてもよい。例えば、３ＧＰＰ  ＬＴＥリリーズ−１０のアップリンク２伝送アンテナ伝送に対して定義されるランク−１プリコーダ（すなわち、上記の表６のｖ＝１のプリコーダ）が用いられてもよく、または、３ＧＰＰ  ＬＴＥリリーズ−１０のアップリンク４伝送アンテナ伝送に対して定義されるランク−１プリコーダ（すなわち、上記の表７のプリコーダ）が用いられてもよい。
【０１５９】
例えば、アップリンクグラントＰＤＣＣＨによって２個のＴＢ（またはＣＷ）伝送をし、これについて、ＰＨＩＣＨを通じてＴＢ＿１に対するＡＣＫを受信し、ＴＢ＿２に対するＮＡＣＫを受信する場合に、ＴＢ＿１は伝送せず、ＴＢ＿２が再伝送される場合を仮定することができる。この場合に、ＰＨＩＣＨ情報にしたがってアップリンクデータ再伝送を行うが、一つのレイヤーを通じてアップリンクデータ再伝送を行うことができる。すなわち、一つのコードワードを一つのレイヤーにマッピングすることができる。この場合に用いられるプリコーディング行列は、ＮＡＣＫのＴＢ（またはＣＷ）がマッピングされるレイヤーの個数（＝１）に該当するランク（すなわち、ランク−１）に対するプリコーディング行列となる。
【０１６０】
言い換えると、端末がＰＨＩＣＨを通じて以前に伝送されたアップリンクデータに対するＡＣＫ／ＮＡＣＫ情報を受信する場合に、最も最近のＰＤＣＣＨで指示されたＴＢの個数（例えば、２）とＰＨＩＣＨを通じてＮＡＣＫが指示されたＴＢの個数（例えば、１）とが異なる場合に、端末は、ＮＡＣＫのＴＢに対して再伝送を行うようになり、この時、ＮＡＣＫのＴＢ（またはＣＷ）がマッピングされるレイヤーの個数（例えば、１）と同じ伝送レイヤーの個数でアップリンク伝送が行われ、当該伝送レイヤーの個数（例えば、１）に対して定義されたプリコーディング行列を用いることができる。例えば、ＮＡＣＫのＴＢの個数が１であり、当該ＴＢのマッピングされるＣＷが一つのレイヤーにマッピングされる場合には、ＮＡＣＫのＴＢの再伝送時にランク−１プリコーダを用いることができる。
【０１６１】
実施例２−Ｃ−２
本実施例によれば、ＰＨＩＣＨでＮＡＣＫが指示されたＴＢ（またはＣＷ）に対する再伝送が行われる時に、一つのＣＷが２個のレイヤーにマッピングされる場合には、２アンテナポート伝送モードを適用することができる。２アンテナポート伝送モードには、一つのレイヤーが多数の物理アンテナを通じて伝送され、他のレイヤーが他の多数の物理アンテナを通じて伝送されるようにするいずれの手法も適用することができる。
【０１６２】
または、一つのＣＷが２個のレイヤーにマッピングされる場合に、ランク−２伝送のためのプリコーダを用いることができる。ランク−２伝送のためのプリコーダは、端末が任意に選択することもでき、端末と基地局間であらかじめ約束されたプリコーダを用いることもできる。あらかじめ約束されたプリコーダとしては、再伝送の度に異なるプリコーダが選択されてもよく、再伝送の度に同一のプリコーダが選択されてもよい。例えば、３ＧＰＰ  ＬＴＥリリーズ−１０のアップリンク２伝送アンテナ伝送に対して定義されるランク−２プリコーダ（すなわち、上記の表６のｖ＝２のプリコーダ）が用いられてもよく、または、３ＧＰＰ  ＬＴＥリリーズ−１０のアップリンク４伝送アンテナ伝送に対して定義されるランク−２プリコーダ（すなわち、上記の表８のプリコーダ）が用いられてもよい。
【０１６３】
例えば、アップリンクグラントＰＤＣＣＨによって２個のＴＢ（またはＣＷ）伝送をし、これについて、ＰＨＩＣＨを通じてＴＢ＿１に対するＡＣＫを受信し、ＴＢ＿２に対するＮＡＣＫを受信する場合に、ＴＢ＿１は伝送せず、ＴＢ＿２が再伝送される場合を仮定することができる。この場合に、ＰＨＩＣＨ情報に基づいてアップリンクデータ再伝送を行うが、２個のレイヤーを通じてアップリンクデータ再伝送を行うことができる。すなわち、一つのコードワードを２個のレイヤーにマッピングすることができる。この場合に用いられるプリコーディング行列は、ＮＡＣＫのＴＢ（またはＣＷ）がマッピングされるレイヤーの個数（＝２）に該当するランク（すなわち、ランク−２）に対するプリコーディング行列となる。
【０１６４】
言い換えると、端末がＰＨＩＣＨを通じて、以前に伝送されたアップリンクデータに対するＡＣＫ／ＮＡＣＫ情報を受信する場合に、最も最近のＰＤＣＣＨで指示されたＴＢの個数（例えば、２）とＰＨＩＣＨを通じてＮＡＣＫが指示されたＴＢの個数（例えば、１）とが異なる場合に、端末は、ＮＡＣＫのＴＢに対して再伝送を行うようになり、この時、ＮＡＣＫのＴＢ（またはＣＷ）がマッピングされるレイヤーの個数（例えば、２）と同じ伝送レイヤーの個数でアップリンク伝送が行われ、当該伝送レイヤーの個数（例えば、２）に対して定義されたプリコーディング行列を用いることができる。例えば、ＮＡＣＫのＴＢの個数が１であり、当該ＴＢのマッピングされるＣＷが２個のレイヤーにマッピングされる場合には、ＮＡＣＫのＴＢの再伝送時にランク−２プリコーダを用いることができる。
【０１６５】
実施例２−Ｄ
本実施例では、再伝送時におけるコードワード−対−レイヤーマッピングに関する本発明の例示について説明する。
【０１６６】
まず、コードワードスワッピング（ＣＷ  ｓｗａｐｐｉｎｇ）について説明する。
【０１６７】
アップリンク２個のＣＷ伝送が行われ、それぞれのＣＷに対してＡＣＫ及びＮＡＣＫ、ＮＡＣＫ及びＡＣＫ、またはＮＡＣＫ及びＮＡＣＫを受信し、１個のＣＷまたは２個のＣＷが再伝送される場合に、ＣＷのマッピングされるレイヤーを、以前の伝送におけると異ならせることができる。すなわち、再伝送が行われる度に、ＣＷのマッピングされるレイヤーを変更することができる。
【０１６８】
一例として、以前の伝送で２個のＣＷについて、一つのＣＷに対してのみＮＡＣＫを受信した場合に、再伝送される（すなわち、ＮＡＣＫの）ＣＷを、ＡＣＫのＣＷが以前の伝送で伝送されたレイヤーにマッピングさせることができる。例えば、ＣＷ１を第１のレイヤーを通じて伝送し、ＣＷ２を第２のレイヤーを通じて伝送した後に、ＣＷ１に対してはＡＣＫが受信され、ＣＷ２に対してはＮＡＣＫが受信された場合に、ＮＡＣＫであるＣＷ２を再伝送するが、ＣＷ２を第１のレイヤーにマッピングさせて再伝送することができる。
【０１６９】
他の例として、全てのＣＷに対してＮＡＣＫを受信した場合に全てのＣＷが再伝送されるが、再伝送時にＣＷのマッピングされるレイヤーの位置を変更することができる。例えば、ＣＷ１及びＣＷ２がそれぞれ第１及び第２のレイヤーにマッピングされて伝送された後に、ＣＷ１及びＣＷ２に対していずれもＮＡＣＫを受信した場合に、ＣＷ１及びＣＷ２をそれぞれ第２及び第１のレイヤーにマッピングして再伝送することができる。
【０１７０】
次に、ヌル−伝送（ｎｕｌｌ−ｔｒａｎｓｍｉｓｓｉｏｎ）及びＣＷスワッピングが適用される場合について説明する。
【０１７１】
一例として、ＡＣＫ状態を受信したＣＷは信号を伝送せず（すなわち、ヌル信号が伝送され）、ＮＡＣＫ状態を受信したＣＷのみを再伝送する時に、再伝送されるＣＷを、以前の伝送でＡＣＫ状態を受信したＣＷがマッピングされたレイヤーにマッピングして再伝送することができる。例えば、ＣＷ１を第１のレイヤーを通じて伝送し、ＣＷ２を第２のレイヤーを通じて伝送した後に、ＣＷ１に対してはＡＣＫを受信し、ＣＷ２に対してはＮＡＣＫを受信した場合に、ＣＷ１に対してはヌル信号を伝送し、ＮＡＣＫであるＣＷ２を再伝送するが、このＣＷ２を第１のレイヤーにマッピングして再伝送することができる。
【０１７２】
他の例として、ＡＣＫ状態を受信したＣＷは信号を伝送せず（すなわち、ヌル信号が伝送され）、ＮＡＣＫ状態を受信したＣＷのみを再伝送する時に、再伝送されるＣＷを、以前の伝送でマッピングされたレイヤーとは異なるレイヤーを通じて伝送することができる。ここで、ＣＷがマッピングされるレイヤーの位置は、毎再伝送の度に異なることがある。
【０１７３】
前述した本発明の例示で、アップリンク２個のＣＷ伝送に対するＡＣＫ／ＮＡＣＫ情報を、多重ＰＨＩＣＨ伝送を通じて獲得することもでき（実施例１−Ｂ）、または、多重状態（ｍｕｌｔｉｐｌｅ  ｓｔａｔｅ）を有する単一ＰＨＩＣＨを通じて獲得することもできる（実施例１−Ａ）。
【０１７４】
３．再伝送に対するＰＨＩＣＨリソースの割当
多数のＴＢ（またはＣＷ）が伝送される時に、ＴＢ（またはＣＷ）のデコーディングに成功したか失敗したかを知らせるために、多数のＰＨＩＣＨリソースを割り当てることができる。多数のＰＨＩＣＨリソースが割り当てられて、多数のＴＢ（またはＣＷ）のＡＣＫ／ＮＡＣＫを知らせることができる。
【０１７５】
例えば、アップリンクで最大２個のＴＢ（またはＣＷ）を伝送する場合に、２個のＰＨＩＣＨリソースを設定することができ、それぞれのＴＢ（またはＣＷ）に対するＡＣＫ／ＮＡＣＫ情報は、一つのＰＨＩＣＨリソースを通じて伝送することができる。ＰＨＩＣＨリソースは、異なるインデックスの組み合わせで決定することができる。例えば、アップリンクグラントＰＤＣＣＨのＤＣＩフォーマットに含まれる最も低い物理リソースブロックインデックス（ｌｏｗｅｓｔ  ＰＲＢ  ｉｎｄｅｘ）と巡回シフトインデックス（Ｃｙｃｌｉｃ  Ｓｈｉｆｔ  ｉｎｄｅｘ；ＣＳ  ｉｎｄｅｘ）との組み合わせでＰＨＩＣＨリソースを設定することができる。
【０１７６】
例えば、ＰＨＩＣＨリソースは、インデックス対
【０１７７】
【化２３】
0005887435.tif 000049
によって識別でき、ここで、
【０１７８】
【化２４】
0005887435.tif 000050
は、ＰＨＩＣＨグループ番号であり、
【０１７９】
【化２５】
0005887435.tif 000051
は、当該グループ内の直交シーケンスインデックスである。
【０１８０】
【化２６】
0005887435.tif 000052
は、下記の数学式１４のように定義できる。
【０１８１】
【数１４】
0005887435.tif 000053
上記の数学式１４で、
【０１８２】
【化２７】
0005887435.tif 000054
は、アップリンクグラントＤＣＩフォーマット（アップリンクＤＣＩフォーマットという）ＰＤＣＣＨのうち、最も最近に受信したＰＤＣＣＨに含まれる‘ＤＭＲＳに対する巡回シフトフィールド’から該当のＰＵＳＣＨ伝送と関連した伝送ブロックに対してマッピングされる。アップリンクＤＣＩフォーマットを有するＰＤＣＣＨの‘ＤＭＲＳに対する巡回シフトフィールド’の値が‘０００’であれば、
【０１８３】
【化２８】
0005887435.tif 000055
値は０にマッピングできる。また、‘ＤＭＲＳに対する巡回シフトフィールド’の値が‘００１’、‘０１０’、‘０１１’、‘１００’、‘１０１’、‘１１０’及び‘１１１’であれば、それぞれ、
【０１８４】
【化２９】
0005887435.tif 000056
値は１、２、３、４、５、６及び７にマッピングできる。一方、同じ伝送ブロックに対するアップリンクＤＣＩフォーマットを有しているＰＤＣＣＨがない場合に、もし、同じ伝送ブロックに対する最初（ｉｎｉｔｉａｌ）ＰＵＳＣＨが半−永続的にスケジューリングされたり、または、同じ伝送ブロックに対する最初ＰＵＳＣＨが任意接続応答グラント（ｒａｎｄｏｍ  ａｃｃｅｓｓ  ｒｅｓｐｏｎｓｅ  ｇｒａｎｔ）によってスケジューリングされると、
【０１８５】
【化３０】
0005887435.tif 000057
は０に設定される。
【０１８６】
上記の数学式１４で、
【０１８７】
【化３１】
0005887435.tif 000058
は、ＰＨＩＣＨ変調のために用いられる拡散ファクター（ｓｐｒｅａｄｉｎｇ  ｆａｃｔｏｒ）である。
【０１８８】
上記の数学式１４で、
【０１８９】
【化３２】
0005887435.tif 000059
のいずれか一つの値を有することができる。
【０１９０】
【化３３】
0005887435.tif 000060
は、該当のＰＵＳＣＨ伝送における最初のスロットで最も低い物理リソースブロック（ＰＲＢ）のインデックスである。
【０１９１】
【化３４】
0005887435.tif 000061
に設定される場合については、本発明の実施例を用いて具体的に説明する。
【０１９２】
上記の数学式１４で、
【０１９３】
【化３５】
0005887435.tif 000062
は、上位層によって設定されるＰＨＩＣＨグループの個数であり、
【０１９４】
【化３６】
0005887435.tif 000063
は、ＴＤＤ  ＵＬ／ＤＬ設定０においてＰＵＳＣＨ伝送がサブフレームインデックスｎ＝４または９の時に１に設定され、その他の場合には０に設定可能である。
【０１９５】
端末は、ＰＨＩＣＨでＡＣＫが指示されたＴＢ（またはＣＷ）は伝送を行わず、ＰＨＩＣＨと同時にまたは後に受信されるアップリンクグラント（ＵＬ  ｇｒａｎｔ）でＮＤＩがトグリングされると（すなわち、新規データ伝送が指示されると）、伝送バッファーをフラッシュ（ｆｌｕｓｈ）する動作を行うことができる。
【０１９６】
一方、ＰＨＩＣＨでＮＡＣＫが指示されたＴＢ（またはＣＷ）に対しては再伝送を行うことができる。ここで、再伝送の行われるＴＢ（またはＣＷ）が一つであれば、再伝送が受信端から成功的にデコーディングされるか否か（すなわち、再伝送に対するＡＣＫ／ＮＡＣＫ）は、一つのＰＨＩＣＨリソースのみでも十分に表現可能である。すなわち、多重ＰＨＩＣＨリソースが割り当てられて、多重ＴＢ（またはＣＷ）のいずれかのＴＢ（またはＣＷ）はＡＣＫを示し、いずれか他のＴＢ（またはＣＷ）に対してはＮＡＣＫを示す場合に再伝送を行うことができ、再伝送については、再伝送に参加するＴＢ（またはＣＷ）の個数に合わせたＰＨＩＣＨを用いることができる。
【０１９７】
例えば、２個のＴＢ（またはＣＷ）のために２個のＰＨＩＣＨリソースが割り当てられ、２個のＰＨＩＣＨリソースを通じて２個のＴＢ（またはＣＷ）のいずれか一方はＡＣＫを示し、他方はＮＡＣＫを示すと、ＮＡＣＫの指示された一つのＴＢ（またはＣＷ）に対しては再伝送が試みられる。再伝送の場合には、再伝送の試みられる一つのＴＢ（またはＣＷ）のために一つのＰＨＩＣＨリソースが用いられ、当該ＴＢ（またはＣＷ）に対するＡＣＫまたはＮＡＣＫを示すことができる。
【０１９８】
アップリンクＭＣＷ伝送に対して多重ＰＨＩＣＨリソースが用いられる場合に、多重ＰＨＩＣＨリソースを通じて一部のＴＢに対してはＡＣＫを受信し、他の一部のＴＢに対してはＮＡＣＫを受信する場合に、ＮＡＣＫのＴＢに対しては再伝送を行うようになる。このような再伝送に対するＡＣＫ／ＮＡＣＫを示すＰＨＩＣＨリソースとしては、多重ＰＨＩＣＨリソースの一部リソースを選択することができる。以下では、このような場合にＰＨＩＣＨリソースを選択する例示について説明する。
【０１９９】
実施例３−Ａ
本実施例によれば、最初のＴＢ（またはＣＷ）に対して割り当てられたＰＨＩＣＨリソースを、再伝送に対するＰＨＩＣＨリソースとして割り当てることができる。
【０２００】
例えば、アップリンクグラントＰＤＣＣＨを通じて、２個のＴＢをアップリンク伝送することがスケジューリングされる場合を仮定することができる。すなわち、ＰＤＣＣＨは、２個のＴＢの初期伝送を指示（ｉｎｄｉｃａｔｅ）することができる。これによって、端末はＰＵＳＣＨを通じて２個のＴＢを伝送することができる。アップリンク伝送された２個のＴＢに対して、多重ＰＨＩＣＨリソースを通じてＡＣＫ／ＮＡＣＫ情報を受信することができる。例えば、第１のＴＢに対するＡＣＫ／ＮＡＣＫを示すために第１のＰＨＩＣＨリソースが割り当てられ、第２のＴＢに対するＡＣＫ／ＮＡＣＫを示すために第２のＰＨＩＣＨリソースが割り当てられることが可能である。第１のＰＨＩＣＨリソースと第２のＰＨＩＣＨリソースは、互いに異なるインデックスによって区別可能である。例えば、第１のＰＨＩＣＨリソースは、最も低いＰＲＢインデックスＩが割り当てられると、第２のＰＨＩＣＨリソースは、最も低いＰＲＢインデックスＩ＋１が割り当てられる。
【０２０１】
ＰＨＩＣＨが、アップリンク伝送された２個のうちのいずれかのＴＢ（第１のＴＢまたは第２のＴＢ）に対するＮＡＣＫを示す場合に、ＮＡＣＫのＴＢに対しては再伝送を行うことができる。このような再伝送はＰＵＳＣＨを通じて行うが、当該ＰＵＳＣＨ伝送を直接スケジューリングするアップリンクグラントＰＤＣＣＨは存在せず、単に、最も最近の（ｍｏｓｔ  ｒｅｃｅｎｔ）ＰＤＣＣＨ（例えば、２個のＴＢの初期伝送をスケジューリングしたＰＤＣＣＨ）に含まれたＭＣＳレベルなどを用いて再伝送を行うことができる。ＮＡＣＫのＴＢの再伝送に対してもＰＨＩＣＨを通じてＡＣＫ／ＮＡＣＫ情報を受信することができる。この時、ＮＡＣＫのＴＢの再伝送に対するＰＨＩＣＨリソースとしては、多重ＰＨＩＣＨリソースのうち、第１のＴＢのために割り当てられたＰＨＩＣＨリソース（すなわち、第１のＰＨＩＣＨリソース）を選択することができる。
【０２０２】
言い換えると、あるＰＵＳＣＨ伝送に関連したＰＤＣＣＨがない場合（すなわち、アップリンクグラントＰＤＣＣＨ無しでＰＨＩＣＨ受信によって再伝送が行われる場合）に、ＮＡＣＫが指示されたＴＢの個数（上記の例示では１個）が、該当のＰＵＳＣＨ（すなわち、ＮＡＣＫのＴＢを再伝送するＰＵＳＣＨ）と関連した最も最近のＰＤＣＣＨ（上記の例示では、２個のＴＢの初期伝送をスケジューリングするＰＤＣＣＨ）で指示されるＴＢの個数（上記の例示では２個）と異なる場合に、第１のＴＢに対して割り当てられたＰＨＩＣＨリソース（すなわち、第１のＰＨＩＣＨリソース）を、ＮＡＣＫであるＴＢの再伝送に対するＡＣＫ／ＮＡＣＫを示すＰＨＩＣＨリソースとして選択することができる。例えば、以前の伝送において第１のＴＢまたは第２のＴＢのいずれかがＮＡＣＫである場合に、ＮＡＣＫのＴＢが第１のＴＢかまたは第２のＴＢかによらず、ＮＡＣＫのＴＢの再伝送に対して割り当てられるＰＨＩＣＨリソースは、第１のＴＢに対するＰＨＩＣＨリソース（すなわち、第１のＰＨＩＣＨリソース）と設定することができる。例えば、上記の数学式１４で、
【０２０３】
【化３７】
0005887435.tif 000064
は、ＰＵＳＣＨの最初のＴＢに対して
【０２０４】
【化３８】
0005887435.tif 000065
と設定したり、または否定確認応答（ＮＡＣＫ）されたＴＢの個数が、該当のＰＵＳＣＨと関連した最も最近のＰＤＣＣＨで指示されたＴＢの個数と異なる場合に、関連したＰＤＣＣＨがないと、
【０２０５】
【化３９】
0005887435.tif 000066
と設定することができる。また、上記の数学式１４で、
【０２０６】
【化４０】
0005887435.tif 000067
は、関連したＰＤＣＣＨを有するＰＵＳＣＨの２番目のＴＢに対して
【０２０７】
【化４１】
0005887435.tif 000068
と設定することができる。
【０２０８】
実施例３−Ｂ
本実施例によれば、以前の伝送でそれぞれのＴＢ（またはＣＷ）に対し割り当てられたＰＨＩＣＨリソースと同じＰＨＩＣＨリソースを、それぞれのＴＢ（またはＣＷ）の再伝送に対して割り当てることができる。
【０２０９】
例えば、以前の伝送において第１のＴＢ（またはＣＷ）に対して第１のＰＨＩＣＨリソースを通じてＡＣＫ／ＮＡＣＫ情報を伝送し、第２のＴＢ（またはＣＷ）に対して第２のＰＨＩＣＨリソースを通じてＡＣＫ／ＮＡＣＫ情報を伝送することができる。もし、第１のＴＢ（またはＣＷ）に対してはＡＣＫを受信し、第２のＴＢ（またはＣＷ）に対してはＮＡＣＫを受信する場合に、ＮＡＣＫの第２のＴＢ（またはＣＷ）に対して再伝送を行い、ＡＣＫの第１のＴＢ（またはＣＷ）に対しては伝送を行わないことがある。この時、再伝送される第２のＴＢ（またはＣＷ）に対するＡＣＫ／ＮＡＣＫ情報は、以前の伝送におけると同一の第２のＰＨＩＣＨリソースを通じて伝送することができる。
【０２１０】
実施例３−Ｃ
本実施例によれば、以前の伝送においてそれぞれのＴＢ（またはＣＷ）に対して割り当てられたＰＨＩＣＨリソースのうち、高いＭＣＳを有するまたは同一のＭＣＳを有するＴＢ（またはＣＷ）に対して割り当てられたＰＨＩＣＨリソースを、ＴＢ（またはＣＷ）の再伝送に対して割り当てることができる。
【０２１１】
例えば、以前の伝送において第１のＴＢ（またはＣＷ）に対して第１のＰＨＩＣＨリソースを通じてＡＣＫ／ＮＡＣＫ情報を伝送し、第２のＴＢ（またはＣＷ）に対して第２のＰＨＩＣＨリソースを通じてＡＣＫ／ＮＡＣＫ情報を伝送することができる。ここで、第１のＴＢが第２のＴＢよりも高いＭＣＳを有する場合を仮定することができる。もし、第１のＴＢ（またはＣＷ）に対してはＡＣＫを受信し、第２のＴＢ（またはＣＷ）に対してはＮＡＣＫを受信する場合に、ＮＡＣＫの第２のＴＢ（またはＣＷ）に対して再伝送を行い、ＡＣＫの第１のＴＢ（またはＣＷ）に対しては伝送を行わないことがある。この場合、再伝送される第２のＴＢ（またはＣＷ）に対するＡＣＫ／ＮＡＣＫ情報は、高いＭＣＳを有する第１のＴＢに対して割り当てられたＰＨＩＣＨリソース（すなわち、第１のＰＨＩＣＨリソース）を通じて伝送することができる。または、以前の伝送のＴＢのうち、再伝送されるＴＢのＭＣＳレベルと同じＭＣＳを有するＴＢに対して割り当てられたＰＨＩＣＨリソースを、再伝送されるＴＢに対して割り当てることができる。
【０２１２】
実施例３−Ｄ
本実施例によれば、以前の伝送においてそれぞれのＴＢ（またはＣＷ）に対して割り当てられたＰＨＩＣＨリソースのうち、低いＭＣＳを有するまたは同一のＭＣＳを有するＴＢ（またはＣＷ）に対して割り当てられたＰＨＩＣＨリソースを、ＴＢ（またはＣＷ）の再伝送に対して割り当てることができる。
【０２１３】
例えば、以前の伝送において第１のＴＢ（またはＣＷ）に対して第１のＰＨＩＣＨリソースを通じてＡＣＫ／ＮＡＣＫ情報を伝送し、第２のＴＢ（またはＣＷ）に対して第２のＰＨＩＣＨリソースを通じてＡＣＫ／ＮＡＣＫ情報を伝送することができる。ここで、第１のＴＢが第２のＴＢよりも低いＭＣＳを有する場合を仮定することができる。もし、第１のＴＢ（またはＣＷ）に対してはＡＣＫを受信し、第２のＴＢ（またはＣＷ）に対してはＮＡＣＫを受信する場合に、ＮＡＣＫの第２のＴＢ（またはＣＷ）に対して再伝送を行い、ＡＣＫの第１のＴＢ（またはＣＷ）に対しては伝送を行わないことがある。この場合、再伝送される第２のＴＢ（またはＣＷ）に対するＡＣＫ／ＮＡＣＫ情報は、低いＭＣＳを有する第１のＴＢに対して割り当てられたＰＨＩＣＨリソース（すなわち、第１のＰＨＩＣＨリソース）を通じて伝送することができる。または、以前の伝送のＴＢのうち、再伝送されるＴＢのＭＣＳレベルと同じＭＣＳを有するＴＢに対して割り当てられたＰＨＩＣＨリソースを、再伝送されるＴＢに対して割り当てることができる。
【０２１４】
４．参照信号（ＲＳ）リソースの割当
アップリンク伝送のために復調参照信号（ＤｅＭｏｄｕｌａｔｉｏｎ  Ｒｅｆｅｒｅｎｃｅ  Ｓｉｇｎａｌ；ＤＭＲＳ）を伝送することができる。ＤＭＲＳは、アンテナポート別またはレイヤー別アップリンクチャネル推定（ｃｈａｎｎｅｌ  ｅｓｔｉｍａｔｉｏｎ）のために用いられる参照信号である。
【０２１５】
ＤＭＲＳのためのシーケンス生成に巡回シフト（Ｃｙｃｌｉｃ  Ｓｈｉｆｔ；ＣＳ）値を用いる。アップリンクＤＭＲＳに適用されるＣＳインデックスは、ＰＤＣＣＨ  ＤＣＩフォーマットの‘Ｃｙｃｌｉｃ  ｓｈｉｆｔ  ｆｏｒ  ＤＭＲＳ’フィールドを通じて指示することができる。多重レイヤーチャネル推定においてアップリンクＤＭＲＳをＣＳを用いて分離することによって、アップリンクＤＭＲＳを多重化することができる。すなわち、それぞれのアップリンクレイヤーに対してそれぞれのＤＭＲＳを適用することができ、互いに異なるＤＭＲＳを、互いに異なるＣＳインデックスによって区別できる。すなわち、ＣＳはＤＭＲＳを区別するための直交（ｏｒｔｈｏｇｏｎａｌ）リソースということができる。また、それぞれのレイヤーに対するＤＭＲＳに適用されるＣＳリソースの距離が遠いほど、受信端でそれぞれのレイヤーを区別する性能は向上できる。
【０２１６】
例えば、レイヤー
【０２１７】
【化４２】
0005887435.tif 000069
に対するＰＵＳＣＨ  ＤＭＲＳシーケンス
【化４３】
0005887435.tif 000070
【０２１８】
は、
【０２１９】
【化４４】
0005887435.tif 000071
のように定義することができる。ここで、ｍ＝０、１であり、
【０２２０】
【化４５】
0005887435.tif 000072
である。ここで、直交シーケンス
【０２２１】
【化４６】
0005887435.tif 000073
は、特定の場合には
【０２２２】
【化４７】
0005887435.tif 000074
と与えられてもよく、または、該当のＰＵＳＣＨ伝送に関連したＴＢに対する最も最近のアップリンク関連ＤＣＩフォーマットで指示される巡回シフトフィールド（ＤＭＲＳに対する巡回シフトインデックスフィールド）を用いて定義されてもよい。例えば、ＤＣＩフォーマットの巡回シフトフィールドの値が０００の場合に、
【０２２３】
【化４８】
0005887435.tif 000075
【０２２４】
【化４９】
0005887435.tif 000076
に対してそれぞれ、［１  １］、［１  １］、［１  −１］及び［１  −１］に設定できる。また、ＤＣＩフォーマットの巡回シフトフィールドの値が００１の場合に、
【０２２５】
【化５０】
0005887435.tif 000077
【０２２６】
【化５１】
0005887435.tif 000078
に対してそれぞれ、［１  −１］、［１  −１］、［１  １］及び［１  １］に設定できる。また、ＤＣＩフォーマットの巡回シフトフィールドの値が０１０の場合に、
【０２２７】
【化５２】
0005887435.tif 000079
に対してそれぞれ［１  −１］、［１  −１］、［１  １］及び［１  １］に設定できる。また、ＤＣＩフォーマットの巡回シフトフィールドの値が０１１の場合に、
【０２２８】
【化５３】
0005887435.tif 000080
に対してそれぞれ、［１  １］、［１  １］、［１  １］及び［１  １］に設定できる。また、ＤＣＩフォーマットの巡回シフトフィールドの値が１００の場合に、
【０２２９】
【化５４】
0005887435.tif 000081
に対してそれぞれ、［１  １］、［１  １］、［１  １］及び［１  １］に設定できる。また、ＤＣＩフォーマットの巡回シフトフィールドの値が１０１の場合に、
【０２３０】
【化５５】
0005887435.tif 000082
に対してそれぞれ、［１  −１］、［１  −１］、［１  −１］及び［１  −１］に設定できる。また、ＤＣＩフォーマットの巡回シフトフィールドの値が１１０の場合に、
【０２３１】
【化５６】
0005887435.tif 000083
【０２３２】
【化５７】
0005887435.tif 000084
に対してそれぞれ、［１  −１］、［１  −１］、［１  −１］及び［１  −１］に設定できる。また、ＤＣＩフォーマットの巡回シフトフィールドの値が１１１の場合に、
【０２３３】
【化５８】
0005887435.tif 000085
【０２３４】
【化５９】
0005887435.tif 000086
に対してそれぞれ［１  １］、［１  １］、［１  −１］及び［１  −１］に設定できる。
【０２３５】
また、
【０２３６】
【化６０】
0005887435.tif 000087
において、
【０２３７】
【化６１】
0005887435.tif 000088
と与えられ、
【０２３８】
【化６２】
0005887435.tif 000089
のように定義される。ここで、
【０２３９】
【化６３】
0005887435.tif 000090
は、上位層によって提供されるパラメータ（ｃｙｃｌｉｃＳｈｉｆｔ）値が０、１、２、３、４、５、６、７に対して、それぞれ０、２、３、４、６、８、９、１０の値に設定される。また、
【０２４０】
【化６４】
0005887435.tif 000091
は、該当のＰＵＳＣＨ伝送と関連した伝送ブロックに対する最も最近のアップリンクＤＣＩフォーマットで指示される‘ＤＭＲＳに対する巡回シフト’フィールドによって決定される。例えば、ＤＣＩフォーマットの巡回シフトフィールドの値が０００の場合に、
【０２４１】
【化６５】
0005887435.tif 000092
に対してそれぞれ０、６、３及び９に設定できる。また、ＤＣＩフォーマットの巡回シフトフィールドの値が００１の場合に、
【０２４２】
【化６６】
0005887435.tif 000093
に対してそれぞれ６、０、９及び３に設定できる。また、ＤＣＩフォーマットの巡回シフトフィールドの値が０１０の場合に、
【０２４３】
【化６７】
0005887435.tif 000094
に対してそれぞれ３、９、６及び０に設定できる。また、ＤＣＩフォーマットの巡回シフトフィールドの値が０１１の場合に、
【０２４４】
【化６８】
0005887435.tif 000095
【０２４５】
【化６９】
0005887435.tif 000096
に対してそれぞれ４、１０、７及び１に設定できる。また、ＤＣＩフォーマットの巡回シフトフィールドの値が１００の場合に、
【０２４６】
【化７０】
0005887435.tif 000097
に対してそれぞれ２、８、５及び１１に設定できる。また、ＤＣＩフォーマットの巡回シフトフィールドの値が１０１の場合に、
【０２４７】
【化７１】
0005887435.tif 000098
に対してそれぞれ８、２、１１及び５に設定できる。また、ＤＣＩフォーマットの巡回シフトフィールドの値が１１０の場合に、
【０２４８】
【化７２】
0005887435.tif 000099
に対してそれぞれ１０、４、１及び７に設定できる。また、ＤＣＩフォーマットの巡回シフトフィールドの値が１１１の場合に、
【０２４９】
【化７３】
0005887435.tif 000100
【０２５０】
【化７４】
0005887435.tif 000101
に対してそれぞれ９、３、０及び６に設定できる。
【０２５１】
アップリンクでＤＭＲＳを送信する場合に、アップリンクデータ部分は、時間領域で生成された信号がＤＦＴ処理を通じて周波数領域信号に変換された後に、副搬送波マッピング後にＩＦＦＴ処理及びＣＰ付加を経て伝送されるが（図７参照）、ＤＭＲＳは、ＤＦＴ処理を省略して周波数領域で直接生成され、副搬送波上にマッピングされた後に、ＩＦＦＴ処理及びＣＰ付加を経て伝送されうる。また、アップリンクサブフレームでＤＭＲＳのマッピングされるＯＦＤＭシンボル位置は、一般ＣＰの場合に、一つのサブフレームで２個のスロットにおけるそれぞれの４番目のＯＦＤＭシンボルにＤＭＲＳが位置し、拡張されたＣＰの場合に、一つのサブフレームにおいて２個のスロットのそれぞれの３番目のＯＦＤＭシンボルにＤＭＲＳが位置できる。
【０２５２】
前述のように、２個のＴＢ（またはＣＷ）が伝送される場合に、最近に受信したＰＤＣＣＨのＤＣＩフォーマットから指示されたＣＳインデックスに基づいて計算されたシーケンスをＤＭＲＳに用いることができる。もし、２個のＴＢ（またはＣＷ）伝送について、いずれか一つのＴＢ（またはＣＷ）のデコーディングには成功し、他のＴＢ（またはＣＷ）のデコーディングには失敗する場合に、デコーディングに失敗した一つのＴＢ（またはＣＷ）に対して再伝送を行うことができる。このような場合に、デコーディングに失敗した一つのＴＢ（またはＣＷ）の再伝送のためにどのＣＳインデックスが用いられるかを定義する必要がある。なぜなら、送信端と受信端でとのＣＳインデックスが用いられるかを決定しないと、レイヤーに対するチャネル推定が不可能になることもあるからである。
【０２５３】
したがって、アップリンク伝送に関するスケジューリング情報を提供するＰＤＣＣＨが検出されない状況で、端末が、ＰＨＩＣＨを通じて指示される情報を用いてＨＡＲＱ動作を行う場合に、一部のＴＢ（またはＣＷ）に対してのみ再伝送が行われることがあるが、この場合に、アップリンク多重レイヤーに対して割り当てられるＣＳを、以前の伝送と同一にするか、または新しく割り当ててＣＳリソースの距離を遠くさせるかを決定する必要がある。以下では、ＣＳリソース割当に関する本発明の実施例について説明する。
【０２５４】
実施例４−Ａ
上記の表４及び表５のようなコードワード−対−レイヤーマッピング関係を考慮すると、あるＣＷが特定レイヤー（一つ以上のレイヤー）にマッピングされうるが、あるＴＢ（またはＣＷ）が再伝送される時に、再伝送されるＣＷがマッピングされるレイヤーのために割り当てられるＣＳインデックスを、当該再伝送のために用いることができる。
【０２５５】
例えば、ＣＷ１が第１のレイヤーにマッピングされ、ＣＷ２が第２及び第３のレイヤーにマッピングされて伝送される場合を仮定することができる。これについて、ＣＷ１に対してはＡＣＫを受信し、ＣＷ２に対してはＮＡＣＫを受信する場合に、ＮＡＣＫのＣＷ２を再伝送することができる。この時、再伝送されるＣＷ２がマッピングされるレイヤーは、コードワード−対−レイヤーマッピング規則に従って新しく決定することができる。例えば、再伝送されるＣＷ２を第１及び第２のレイヤーにマッピングすることができる。この場合に、再伝送されるＣＷ２がマッピングされるレイヤー（すなわち、第１及び第２のレイヤー）のために割り当てられるＣＳインデックスを用いて、再伝送に用いられるレイヤーに対するＤＭＲＳのためのシーケンスを生成することができる。
【０２５６】
言い換えると、ＮＡＣＫに該当するＣＷの再伝送時に、コードワード−対−レイヤーマッピング規則にしたがって、再伝送されるＣＷがマッピングされるレイヤーをリセット（ｒｅｓｅｔ）することができる。本実施例によれば、再伝送時におけるＤＭＲＳのためのＣＳインデックスは、再伝送されるＣＷが新しくマッピングされた（リセットされた）レイヤーのためのＣＳインデックスを用いるとも表現できる。例えば、アップリンクグラントＰＤＣＣＨで指示される‘ＤＭＲＳに対する巡回シフトインデックス’及び伝送信号のレイヤーの個数（すなわち、ランク）によって、ＤＭＲＳに対する巡回シフト値
【０２５７】
【化７５】
0005887435.tif 000102
を決定することができるが、ＮＡＣＫに該当するＣＷの再伝送時に、コードワード−対−レイヤーマッピング規則にしたがって、再伝送されるＣＷがマッピングされるレイヤーをリセット（ｒｅｓｅｔ）するということは、最も最近に受信したアップリンクグラントＤＣＩフォーマットＰＤＣＣＨで指示された‘ＤＭＲＳに対する巡回シフトインデックス’フィールドと再伝送を試みるレイヤーの個数によって、ＤＭＲＳの巡回シフト値
【０２５８】
【化７６】
0005887435.tif 000103
が再び（新しく）決定されるとも表現できる。
【０２５９】
実施例４−Ｂ
アップリンクＭＣＷ伝送について一部のＴＢ（またはＣＷ）を再伝送する場合に、最も最近のアップリンクグラントＰＤＣＣＨで指示されたプリコーダのサブセット（または一部列（ｃｏｌｕｍｎ））を選択することができる（上記の実施例２を参照）。ここで、プリコーダはレイヤーをアンテナポートにマッピングさせる役割を有すると表現できる。そのため、再伝送時にプリコーダの一部列を選択するということは、プリコーダにマッピングされるレイヤーのうちの一部レイヤーを選択することと同じ意味を有する。したがって、再伝送時に用いられるＤＭＲＳのためのＣＳインデックスとして、プリコーダで選択されるレイヤーのために割り当てられたＣＳインデックスを用いることができる。
【０２６０】
例えば、ＣＷ１が第１のレイヤーにマッピングされ、ＣＷ２が第２及び第３のレイヤーにマッピングされ伝送される場合を仮定することができる。これについて、ＣＷ１に対してはＡＣＫを受信し、ＣＷ２に対してはＮＡＣＫが受信する場合に、ＮＡＣＫのＣＷ２を再伝送することができる。例えば、ＣＷ２が再伝送される場合に、前述した実施例２−Ａで説明した通り、図９（ｂ）のプリコーダのサブセットとしてプリコーダの２番目の列及び３番目の列を選択することができる。すなわち、ＣＷ２の再伝送のためにプリコーダの２番目の列及び３番目の列を選択することができ、これは、第２及び第３のレイヤーを選択することを意味する。したがって、再伝送時に用いられるプリコーダの列に該当するレイヤー（すなわち、第２及び第３のレイヤー）のために割り当てられるＣＳインデックスを用いて、再伝送時のＤＭＲＳのためのシーケンスを生成することができる。
【０２６１】
言い換えると、ＮＡＣＫのＣＷの再伝送時に選択されるプリコーダサブセットは、再伝送されるＣＷが以前の伝送においてマッピングされたレイヤーを指示するものでよい。本実施例によれば、再伝送時のＤＭＲＳのためのＣＳインデックスは、以前の伝送において当該ＣＷがマッピングされたレイヤーのために用いられたＣＳインデックスを再使用（ｒｅｕｓｅ）すると表現できる。例えば、アップリンクグラントＰＤＣＣＨで指示される‘ＤＭＲＳに対する巡回シフトインデックス’及び伝送信号のレイヤーの個数（すなわち、ランク）によってＤＭＲＳに対する巡回シフト値
【０２６２】
【化７７】
0005887435.tif 000104
を決定することができるが、ＮＡＣＫに該当するＣＷの再伝送時におけるＤＭＲＳのためのＣＳインデックスは、以前の伝送において当該ＣＷがマッピングされたレイヤーのために用いられたＣＳインデックスを再使用（ｒｅｕｓｅ）するということは、以前の伝送においてＴＢ１またはＴＢ２のために割り当てられたＤＭＲＳの巡回シフト値
【０２６３】
【化７８】
0005887435.tif 000105
が、再伝送を試みるＴＢ（ＴＢ１の再伝送であれば、以前の伝送におけるＴＢ１、ＴＢ２の再伝送であれば、以前の伝送におけるＴＢ２）に該当するレイヤーのために用いられるとも表現できる。
【０２６４】
５．ＰＨＩＣＨ及びＰＤＣＣＨに基づくＨＡＲＱ動作
前述のように、端末のアップリンクＨＡＲＱ動作は、端末がアップリンクグラントＰＤＣＣＨを検出しない状況で、ＰＨＩＣＨで指示される情報を用いる場合、または、端末がＰＨＩＣＨ伝送及びアップリンクグラントＰＤＣＣＨを検出する場合に定義することができる。
【０２６５】
本実施例では、端末がＰＤＣＣＨを検出する状況でＨＡＲＱ動作を行う時に、アップリンクＭＩＭＯ伝送において多重ＴＢ（またはＣＷ）の再伝送方案について説明する。
【０２６６】
実施例５−Ａ
本実施例によれば、アップリンクＭＣＷ伝送に対して、ＰＨＩＣＨを通じたＡＣＫ／ＮＡＣＫ情報とＰＤＣＣＨを通じた制御情報とを組み合わせて、端末が新しいデータを伝送するかまたは再伝送を行うかを決定することができる。
【０２６７】
ここで、ＰＨＩＣＨは、それぞれのＴＢ（またはＣＷ）に対するＡＣＫ／ＮＡＣＫ状態を示すことができると仮定する。すなわち、多重ＴＢ（またはＣＷ）に対して多重ＰＨＩＣＨを提供したり、一つのＰＨＩＣＨが多重状態（ｓｔａｔｅ）を用いてそれぞれのＴＢ（またはＣＷ）に対するＡＣＫ／ＮＡＣＫ状態を提供したりすることができる（上記の実施例１−Ａ及び１−Ｂ）。
【０２６８】
ＰＤＣＣＨを通じて提供される制御情報には新規データ指示子（ＮＤＩ）を含むことができる。このような場合に、２個のＴＢ（またはＣＷ）伝送に対してＰＨＩＣＨが示すＡＣＫ／ＮＡＣＫ状態（ｓｔａｔｅ）とＰＤＣＣＨを通じたＮＤＩ状態とを組み合わせて端末の動作を決定することを考慮することができる。または、ＰＤＣＣＨのＮＤＩに代えて他のフィールドを用いることもできる。
【０２６９】
端末は、アップリンク２ＣＷ伝送を行ってから所定の時点（例えば、４サブフレーム後）にＰＨＩＣＨを受信することができ、ＰＨＩＣＨ受信と同時に、またはＰＨＩＣＨ受信後の特定時点でＰＤＣＣＨを受信することができる。このような場合、端末の動作は、下記の表１３のように表現することができる。
【０２７０】
【表１３】
0005887435.tif 000106
端末がＰＤＣＣＨの制御情報を見ることができる場合には、端末が行うべきＨＡＲＱ動作は、ＰＤＣＣＨの指示によって規定することができる。あるＴＢ（またはＣＷ）に対してＰＤＣＣＨで新規データ伝送を指示する場合（例えば、ＮＤＩ値がトグリングされる場合）に、端末は、ＨＡＲＱバッファーをフラッシュし、新しいデータ伝送を試みることができる。言い換えると、ＰＤＣＣＨを通じてそれぞれのＴＢ（またはＣＷ）に対する新規伝送または再伝送が指示される場合には、ＰＨＩＣＨを通じて指示されるそれぞれのＴＢ（またはＣＷ）に対するＡＣＫ／ＮＡＣＫ状態を考慮しないで、ＰＤＣＣＨを通じて指示された通りにＨＡＲＱ動作を行うことができる。
【０２７１】
以下では、２個のＴＢ（またはＣＷ）のいずれか一ＴＢ（またはＣＷ）のみが伝送され、他のＴＢ（またはＣＷ）は伝送されない（または、ヌル信号が伝送される）場合に関する本発明の例示について説明する。
【０２７２】
ＰＨＩＣＨを通じて指示されたそれぞれのＴＢ（またはＣＷ）に対するＡＣＫ／ＮＡＣＫ状態と、ＰＤＣＣＨに含まれるそれぞれのＴＢ（またはＣＷ）に対する新規伝送または再伝送を知らせる所定の指示子（例えば、ＮＤＩ）との組み合わせにより、どのＴＢ（またはＣＷ）に対する伝送が行われないかを端末に知らせることができる。
【０２７３】
例えば、ＰＨＩＣＨを通じてＡＣＫが指示されるＴＢ（またはＣＷ）は、再伝送が行われないことを意味する。この時、ＰＤＣＣＨに含まれた指示子（例えば、ＮＤＩ）が当該ＴＢ（またはＣＷ）に対する新規伝送を示していないと（例えば、ＮＤＩがトグルされないと）、当該ＴＢ（またはＣＷ）は何らの伝送も行われない（すなわち、当該ＴＢ（またはＣＷ）が非活性化（ｄｉｓａｂｌｅ）する）。または、ＰＤＣＣＨに含まれた指示子（例えば、ＮＤＩ）が当該ＴＢ（またはＣＷ）に対する新規伝送を示していると（例えば、ＮＤＩがトグルされると）、当該ＴＢ（またはＣＷ）は、新しいデータの伝送が行われる。
【０２７４】
一方、ＰＨＩＣＨを通じてＮＡＣＫが指示されるＴＢ（またはＣＷ）は、再伝送が行われることを意味する。この時、ＰＤＣＣＨに含まれた指示子（例えば、ＮＤＩ）が当該ＴＢ（またはＣＷ）に対する新規伝送を示していないと（すなわち、ＮＤＩがトグルされないと）、当該ＴＢ（またはＣＷ）は、再伝送が行われうる。
【０２７５】
一方、ＰＨＩＣＨを通じてＮＡＣＫが指示されるＴＢ（またはＣＷ）に対して、ＰＤＣＣＨに含まれた指示子（例えば、ＮＤＩ）が新規伝送を示す場合には（例えば、ＮＤＩがトグルされる場合には）、再伝送が行われるのか、または新しいデータが伝送されるのか不明確である。このような状況では、当該ＴＢ（またはＣＷ）は何らの伝送も行われないように設定できる（すなわち、当該ＴＢ（またはＣＷ）が非活性化（ｄｉｓａｂｌｅ）する）。または、ＰＤＣＣＨ指示子に基づいて当該ＴＢ（またはＣＷ）で新しいデータが伝送されるようにしてもよい。
【０２７６】
上に説明した事項を整理すると、一つのＴＢ（またはＣＷ）に対するＰＨＩＣＨ情報とＰＤＣＣＨ情報との組み合わせによって決定される端末動作を、下記の表１４及び表１５のように表現できる。
【０２７７】
【表１４】
0005887435.tif 000107
【０２７８】
【表１５】
0005887435.tif 000108
実施例５−Ｂ
本実施例によれば、アップリンクＭＣＷ伝送に対して、単一ＰＨＩＣＨを通じたＡＣＫ／ＮＡＣＫ情報とＰＤＣＣＨを通じた制御情報とを組み合わせて、端末が新しいデータを伝送するかまたは再伝送を行うかを決定できる。
【０２７９】
ここで、単一ＰＨＩＣＨを通じて多重ＴＢ（またはＣＷ）に対してＡＣＫ状態またはＮＡＣＫ状態のいずれか一つのみが指示されると仮定する（上記の実施例１−Ｃ）。例えば、多重ＴＢ（またはＣＷ）のためのＡＣＫ／ＮＡＣＫ信号を、一つのＰＨＩＣＨ上で１ビットで表現することができるが、２個のＴＢ（またはＣＷ）の両方に対してデコーディングに成功した場合は、ＡＣＫを指示し、２個のＴＢ（またはＣＷ）のいずれか一方以上がデコーディングに失敗した場合は、ＮＡＣＫを指示することができる。
【０２８０】
このように単一ＰＨＩＣＨが伝送される場合に、ＰＨＩＣＨが指示するＡＣＫ／ＮＡＣＫ状態に基づく端末の動作は、下記の表１６のように示すことができる。
【０２８１】
【表１６】
0005887435.tif 000109
上記の表１６で、２個のＴＢ（またはＣＷ）に対してＰＨＩＣＨがＡＣＫ状態を指示する場合に、２個のＴＢ（またはＣＷ）とも何ら伝送が行われず、再伝送を行うためにはＰＤＣＣＨによるアップリンクスケジューリングが要求される。一方、２個のＴＢ（またはＣＷ）に対してＰＨＩＣＨがＮＡＣＫ状態を指示する場合に、２個のＴＢ（またはＣＷ）とも非−適応的再伝送が行われうる。
【０２８２】
ＰＤＣＣＨを通じて提供される制御情報には新規データ指示子（ＮＤＩ）を含むことができる。このような場合に、２個のＴＢ（またはＣＷ）伝送に対してＰＨＩＣＨが示すＡＣＫ／ＮＡＣＫ状態（ｓｔａｔｅ）とＰＤＣＣＨを通じたＮＤＩ状態とを組み合わせて端末の動作を決定することを考慮することができる。または、ＰＤＣＣＨのＮＤＩに代えて他のフィールドを用いることもできる。
【０２８３】
端末は、アップリンク２ＣＷ伝送を行った後の所定の時点（例えば、４サブフレーム後）に一つのＰＨＩＣＨを受信することができ、ＰＨＩＣＨ受信と同時に、またはＰＨＩＣＨ受信後の特定時点でＰＤＣＣＨを受信することができる。ここで、一つのＰＨＩＣＨは２個のＴＢ（またはＣＷ）に対するＡＣＫまたはＮＡＣＫ状態のみを示し、ＰＤＣＣＨはそれぞれのＴＢ（またはＣＷ）に対する指示子（例えば、ＮＤＩ）を含むことができる。このような場合、端末の動作は、下記の表１７のように表現できる。
【０２８４】
【表１７】
0005887435.tif 000110
端末がＰＤＣＣＨの制御情報を見ることができる場合には、端末が行うべきＨＡＲＱ動作をＰＤＣＣＨの指示により規定することができる。あるＴＢ（またはＣＷ）に対してＰＤＣＣＨで新規データ伝送を指示する場合（例えば、ＮＤＩ値がトグリングされる場合）に、端末は、ＨＡＲＱバッファーをフラッシュし、新しいデータ伝送を試みることができる。言い換えると、ＰＤＣＣＨを通じてそれぞれのＴＢ（またはＣＷ）に対する新規伝送または再伝送が指示される場合には、単一ＰＨＩＣＨを通じて指示される２個のＴＢ（またはＣＷ）に対するＡＣＫ／ＮＡＣＫ状態を考慮しないで、ＰＤＣＣＨを通じて指示された通りにＨＡＲＱ動作を行うことができる。
【０２８５】
以下では、端末がＰＤＣＣＨを検出する状況で単一ＰＨＩＣＨを通じて２個のＴＢ（またはＣＷ）に対するＡＣＫまたはＮＡＣＫ状態が指示される場合に関する本発明の例示について説明する。
【０２８６】
単一ＰＨＩＣＨ  ＡＣＫ／ＮＡＣＫ状態と、ＰＤＣＣＨに含まれるそれぞれのＴＢ（またはＣＷ）に対する新規伝送または再伝送を知らせる所定の指示子（例えば、ＮＤＩ）との組み合わせを用いて、それぞれのＴＢ（またはＣＷ）に対する端末の新規伝送または再伝送動作を決定することができる。下記の表１８及び表１９を参照して具体的な例示について説明する。
【０２８７】
【表１８】
0005887435.tif 000111
上記の表１８で示す指示子（ｉｎｄｉｃａｔｏｒ）は、例えば、アップリンクグラントＰＤＣＣＨに含まれたＮＤＩでよい。上記の表１８で示すように、単一ＰＨＩＣＨからＡＣＫの状態を受信し、ＰＤＣＣＨの指示子を通じて新規伝送が指示された場合に、それぞれのＴＢ（またはＣＷ）に対しては新規伝送を試みることができる。または、単一ＰＨＩＣＨからＡＣＫの状態またはＮＡＣＫの状態を受信し、ＰＤＣＣＨの指示子を通じて再伝送が指示された場合に、それぞれのＴＢ（またはＣＷ）に対しては再伝送を試みることができる。ここで、２個のＴＢ（またはＣＷ）に対する新規伝送または再伝送を示す指示子が存在する場合に、それぞれのＴＢ（またはＣＷ）に対する新規伝送または再伝送は独立して行うことができる。すなわち、一つのＴＢ（またはＣＷ）に対する新規伝送／再伝送は、他のＴＢ（またはＣＷ）の新規伝送／再伝送によらずに行うことができる。
【０２８８】
【表１９】
0005887435.tif 000112
上記の表１９で示す指示子（ｉｎｄｉｃａｔｏｒ）は、例えば、アップリンクグラントＰＤＣＣＨに含まれたＮＤＩでよい。上記の表１９で示すように、単一ＰＨＩＣＨからＡＣＫの状態またはＮＡＣＫの状態を受信し、ＰＤＣＣＨの指示子を通じて新規伝送が指示された場合に、それぞれのＴＢ（またはＣＷ）に対しては新規伝送を試みることができる。または、単一ＰＨＩＣＨからＮＡＣＫの状態を受信し、ＰＤＣＣＨの指示子を通じて再伝送が指示された場合に、それぞれのＴＢ（またはＣＷ）に対しては再伝送を試みることができる。ここで、２個のＴＢ（またはＣＷ）に対する新規伝送または再伝送を示す指示子が存在する場合に、それぞれのＴＢ（またはＣＷ）に対する新規伝送または再伝送を独立して行うことができる。すなわち、一つのＴＢ（またはＣＷ）に対する新規伝送／再伝送は、他のＴＢ（またはＣＷ）の新規伝送／再伝送によらずに行うことができる。
【０２８９】
実施例５−Ｃ
本実施例では、アップリンクＭＣＷ伝送に対して単一ＰＨＩＣＨが伝送される場合（例えば、２個のＴＢ（またはＣＷ）ともデコーディングに成功した場合にはＡＣＫが伝送され、２個のＴＢ（またはＣＷ）のいずれか一つ以上がデコーディングに失敗した場合にはＮＡＣＫが伝送される場合）に、ＰＨＩＣＨを通じて指示されるＡＣＫ／ＮＡＣＫ状態に基づく再伝送動作は、上記の表１６のように定義できる。ここで、再伝送時に、２個のＴＢ（またはＣＷ）がマッピングされるレイヤーの順序を取り替える、すなわち、スワップ（ｓｗａｐ）することを考慮することができる。例えば、コードワード−対−レイヤーマッピングスワップは、下記の表２０のように定義できる。
【０２９０】
【表２０】
0005887435.tif 000113
このように、再伝送の場合にそれぞれのＣＷがマッピングされるレイヤーをスワップすると、デコーディング成功確率を高めることができる。例えば、初期伝送時に、第１のＣＷが第１のレイヤーを通じて伝送され、第２のＣＷが第２のレイヤーを通じて伝送される場合を仮定することができる。この時、第１のレイヤーのチャネル状態が第２のレイヤーに比べて良好であるため、第１のＣＷのデコーディングには成功する反面、第２のＣＷのデコーディングには失敗することがある。このような場合、再伝送時に、コードワード−対−レイヤーマッピングをスワップしないと、第２のＣＷが、チャネル状態が相対的に良好でない第２のレイヤーを通じて再び伝送されるため、第２のＣＷのデコーディングは再び失敗する確率が高い。一方、再伝送時に、コードワード−対−レイヤーマッピングをスワップすると、第２のＣＷが、チャネル状態が良好な第１のレイヤーを通じて伝送されるため、第２のＣＷのデコーディング成功確率が高くなりうる。
【０２９１】
６．アップリンクＭＣＷ伝送に対するＨＡＲＱ動作のためのＤＣＩの構成
既存の３ＧＰＰ  ＬＴＥシステムでは、アップリンク伝送で単一コードワード伝送が行われ、これに関するアップリンクスケジューリング情報は、ＤＣＩフォーマット０を有するＰＤＣＣＨを通じて与えることができた。既存のＤＣＩフォーマット０は、表２１のように定義できる。
【０２９２】
【表２１】
0005887435.tif 000114
ＤＣＩフォーマット０で、‘Ｆｌａｇ  ｆｏｒ  ｆｏｒｍａｔ  ０／ｆｏｒｍａｔ  １Ａ  ｄｉｆｆｅｒｅｎｔｉａｔｉｏｎ’（フォーマット０／フォーマット１Ａの区別のためのフラグ）フィールドは、ＤＣＩフォーマット０とＤＣＩフォーマット１Ａとを区別するためのフィールドである。ＤＣＩフォーマット１Ａは、ダウンリンク伝送をスケジューリングするＤＣＩフォーマットであり、ＤＣＩフォーマット０と同じペイロード大きさを有するので、ＤＣＩフォーマット０とＤＣＩフォーマット１Ａが同一形態のフォーマットを有するようにしながら、これらを区別できるフィールドが含まれたわけである。‘Ｆｌａｇ  ｆｏｒ  ｆｏｒｍａｔ  ０／ｆｏｒｍａｔ  １Ａ  ｄｉｆｆｅｒｅｎｔｉａｔｉｏｎ’フィールドが０値を有すると、ＤＣＩフォーマット０を表し、１値を有すると、ＤＣＩフォーマット１Ａを表す。
【０２９３】
‘Ｈｏｐｐｉｎｇ  ｆｌａｇ’（周波数ホッピングフラグ）フィールドは、ＰＵＳＣＨ周波数ホッピングが適用されるか否かを示す。‘Ｈｏｐｐｉｎｇ  ｆｌａｇ’フィールドが０値を有すると、ＰＵＳＣＨ周波数ホッピングが適用されない旨を示し、１値を有すると、ＰＵＳＣＨ周波数ホッピングが適用される旨を示す。
【０２９４】
‘Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ’（リソースブロック割当及びホッピングリソース割当）フィールドは、ＰＵＳＣＨ周波数ホッピングの有無によるアップリンクサブフレームでのリソースブロック割当情報を示す。
【０２９５】
‘Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ’（変調及びコーディング手法及びリダンダンシーバージョン）フィールドは、ＰＵＳＣＨに対する変調次数（ｍｏｄｕｌａｔｉｏｎ  ｏｒｄｅｒ）及びリダンダンシーバージョン（ＲＶ）を示す。ＲＶは、再伝送の場合に、どのサブパケットを再伝送するかに関する情報を示す。５ビットで表現される３２個の状態（ｓｔａｔｅ）のうち、０乃至２８は、変調次数を示すために用いられ、２９乃至３１は、ＲＶインデックス（１、２及び３）を示すことができる。
【０２９６】
‘Ｎｅｗ  ｄａｔａ  ｉｎｄｉｃａｔｏｒ’（新規データ指示子）フィールドは、アップリンクスケジューリング情報が新規データに関するものか、再伝送に関するものかを示す。以前の伝送におけるＮＤＩ値からトグリングされる場合は、新規データ伝送である旨を示し、トグリングされない場合は、再伝送である旨を示す。
【０２９７】
‘ＴＰＣ  ｃｏｍｍａｎｄ  ｆｏｒ  ｓｃｈｅｄｕｌｅｄ  ＰＵＳＣＨ’（スケジューリングされたＰＵＳＣＨに対する伝送電力制御命令）フィールドは、ＰＵＳＣＨ伝送に対する伝送電力を決定できる値を示す。
【０２９８】
‘Ｃｙｃｌｉｃ  ｓｈｉｆｔ  ｆｏｒ  ＤＭＲＳ’（復調参照信号に対する巡回シフト）フィールドは、アップリンク復調参照信号（ＤｅＭｏｄｕｌａｔｉｏｎ  Ｒｅｆｅｒｅｎｃｅ  Ｓｉｇｎａｌ；ＤＭＲＳ）のためのシーケンス生成に用いられる巡回シフト（Ｃｙｃｌｉｃ  Ｓｈｉｆｔ）値を示す。ＤＭＲＳは、アンテナポート別またはレイヤー別アップリンクチャネル推定のために用いられる参照信号である。
【０２９９】
‘ＵＬ  ｉｎｄｅｘ（ｆｏｒ  ＴＤＤ）’（アップリンクインデックス（ＴＤＤの場合））フィールドは、時分割デュプレックス（ＴＤＤ）方式で無線フレームが構成される場合に、特定アップリンク−ダウンリンク設定（ｃｏｎｆｉｇｕｒａｔｉｏｎ）において、アップリンク伝送として設定されるサブフレームインデックスなどを示すことができる。
【０３００】
‘Ｄｏｗｎｌｉｎｋ  Ａｓｓｉｇｎｍｅｎｔ  Ｉｎｄｅｘ（ｆｏｒ  ＴＤＤ）’（ダウンリンク割当インデックス（ＴＤＤの場合））フィールドは、ＴＤＤ方式で無線フレームが構成される場合に、特定アップリンク−ダウンリンク設定において、ＰＤＳＣＨ伝送とし設定されるサブフレームの総個数などを示すことができる。
【０３０１】
‘ＣＱＩ  ｒｅｑｕｅｓｔ’（チャネル品質指示子要請）フィールドは、ＰＵＳＣＨを用いて非周期的なＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）及びＲＩ（Ｒａｎｋ  Ｉｎｄｉｃａｔｏｒ）報告をするように要請する旨を示す。‘ＣＱＩ  ｒｅｑｕｅｓｔ’フィールドが１に設定されると、端末は、ＰＵＳＣＨを用いた非周期的なＣＱＩ、ＰＭＩ及びＲＩ報告を伝送する。
【０３０２】
一方、ダウンリンク多重コードワード伝送をスケジューリングするＤＣＩフォーマット２のＰＤＣＣＨは、表２２のように制御情報を含むことができる。
【０３０３】
【表２２】
0005887435.tif 000115
ＤＣＩフォーマット２で、‘Ｒｅｓｏｕｒｃｅ  ａｌｌｏｃａｔｉｏｎ  ｈｅａｄｅｒ（ｒｅｓｏｕｒｃｅ  ａｌｌｏｃａｔｉｏｎ  ｔｙｐｅ  ０／ｔｙｐｅ  １）’（リソース割当ヘッダー（リソース割当タイプ０／タイプ１））フィールドが０値を有すると、タイプ０のリソース割当を示し、１値を有すると、タイプ１のリソース割当を示す。タイプ０のリソース割当は、スケジューリングされた端末に割り当てられるリソースブロックグループ（Ｒｅｓｏｕｒｃｅ  Ｂｌｏｃｋ  Ｇｒｏｕｐｓ；ＲＢＧｓ）が、連続した物理リソースブロック（Ｐｈｙｓｉｃａｌ  Ｒｅｓｏｕｒｃｅ  Ｂｌｏｃｋｓ；ＰＲＢｓ）の集合である場合を示すことができる。タイプ１のリソース割当は、所定個数のリソースブロックグループの部分集合の中から選択された一つのリソースブロックグループにおける物理リソースブロックの集合のうち、スケジューリングされた端末に割り当てられる物理リソースブロックを示すことができる。
【０３０４】
‘Ｒｅｓｏｕｒｃｅ  ｂｌｏｃｋ  ａｓｓｉｇｎｍｅｎｔ’（リソースブロック割当）フィールドは、タイプ０またはタイプ１のリソース割当によってスケジューリングされた端末に割り当てられるリソースブロックを示す。
【０３０５】
‘ＴＰＣ  ｃｏｍｍａｎｄ  ｆｏｒ  ＰＵＣＣＨ’（ＰＵＣＣＨに対する伝送電力制御命令）フィールドは、ＰＵＣＣＨ伝送に対する伝送電力を決定できる値を示す。
【０３０６】
‘Ｄｏｗｎｌｉｎｋ  Ａｓｓｉｇｎｍｅｎｔ  Ｉｎｄｅｘ（ｆｏｒ  ＴＤＤ）’（ダウンリンク割当インデックス（ＴＤＤの場合））フィールドは、ＴＤＤ方式で無線フレームが構成される場合に、特定アップリンク−ダウンリンク設定において、ＰＤＳＣＨ伝送として設定されるサブフレームの総個数などを示すことができる。
【０３０７】
‘ＨＡＲＱ  ｐｒｏｃｅｓｓ  ｎｕｍｂｅｒ’（ＨＡＲＱプロセス番号）フィールドは、ＨＡＲＱエンティティにより管理される複数個のＨＡＲＱプロセスのうち、伝送に用いられるＨＡＲＱプロセスを示すことができる。
【０３０８】
‘Ｔｒａｎｓｐｏｒｔ  ｂｌｏｃｋ  ｔｏ  ｃｏｄｅｗｏｒｄ  ｓｗａｐ  ｆｌａｇ’（伝送ブロック−対−コードワードスワップフラグ）フィールドは、２個の伝送ブロック（Ｔｒａｎｓｐｏｒｔ  ｂｌｏｃｋ）がいずれも活性化（ｅｎａｂｌｅｄ）する場合に、伝送ブロック−対−コードワードマッピング関係を示す。‘Ｔｒａｎｓｐｏｒｔ  ｂｌｏｃｋ  ｔｏ  ｃｏｄｅｗｏｒｄ  ｓｗａｐ  ｆｌａｇ’フィールドが０値を有すると、伝送ブロック１がコードワード０にマッピングされ、伝送ブロック２がコードワード１にマッピングされる旨を示し、１値を有すると、伝送ブロック２がコードワード０にマッピングされ、伝送ブロック１がコードワード１にマッピングされる旨を示す。
【０３０９】
ＤＣＩフォーマット２で、１番目のコードワード及び２番目のコードワードのそれぞれに対して‘Ｍｏｄｕｌａｔｉｏｎ  ａｎｄ  ｃｏｄｉｎｇ  ｓｃｈｅｍｅ’（変調及びコーディング手法）、‘Ｎｅｗ  ｄａｔａ  ｉｎｄｉｃａｔｏｒ’（新規データ指示子）及び‘Ｒｅｄｕｎｄａｎｃｙ  ｖｅｒｓｉｏｎ’（リダンダンシーバージョン）フィールドが定義される。‘Ｍｏｄｕｌａｔｉｏｎ  ａｎｄ  ｃｏｄｉｎｇ  ｓｃｈｅｍｅ’フィールドは、ＰＤＳＣＨに対する変調次数（ｍｏｄｕｌａｔｉｏｎ  ｏｒｄｅｒ）を示し、‘Ｎｅｗ  ｄａｔａ  ｉｎｄｉｃａｔｏｒ’フィールドは、ダウンリンクスケジューリング情報が新規データに関するものか、再伝送に関するものかを示し、‘Ｒｅｄｕｎｄａｎｃｙ  ｖｅｒｓｉｏｎ’フィールドは、再伝送の場合にどのサブパケットを再伝送するかに関する情報を示す。
【０３１０】
‘Ｐｒｅｃｏｄｉｎｇ  ｉｎｆｏｒｍａｔｉｏｎ’（プリコーディング情報）フィールドは、ダウンリンク伝送のプリコーディングのためのコードブックインデックスなどを示すことができる。基地局が２伝送アンテナで構成される場合は、ランク１及びランク２に対するコードブックインデックスを示すために３ビットが必要とされ、４伝送アンテナで構成される場合は、ランク１、２、３及び４に対するコードブックインデックスを示すために６ビットが必要とされる。
【０３１１】
上記の表２１及び表２２で説明した通り、既存３ＧＰＰ  ＬＴＥシステムでは、アップリンク単一コードワード伝送のためのＤＣＩフォーマット０及びダウンリンク多重コードワード伝送のためのＤＣＩフォーマット２が定義され、アップリンク多重コードワード伝送に対するＰＤＣＣＨ  ＤＣＩフォーマットは定義されていない。
【０３１２】
本発明では、アップリンク多重コードワード伝送のための新しいＤＣＩフォーマット（ＰＤＣＣＨを通じたアップリンクグラント）の例示を、表２３、表２４及び表２５のように提案する。
【０３１３】
【表２３】
0005887435.tif 000116
表２３は、一つのアップリンクセル（または構成搬送波）において多重アンテナポート伝送モードにＰＵＳＣＨをスケジューリングするのに用いられる新しいＤＣＩフォーマットの一例に関するものである。表２３のＤＣＩフォーマットを、既存に定義されているＤＣＩフォーマットと区別するためのフォーマットインデックス（例えば、ＤＣＩフォーマット４）と呼ぶこともできる。
【０３１４】
表２３で取消線で表示されたものは、既存のＤＣＩフォーマット０（表２１）及びＤＣＩフォーマット２（表２２）では存在するが、アップリンク多重コードワード伝送のためのＰＤＣＣＨ  ＤＣＩフォーマットには含まれないフィールドを示す。表２３で、下線で表示されたものは、既存のＤＣＩフォーマット０（表２１）及びＤＣＩフォーマット２（表２２）のフィールドで追加される内容を示す。
【０３１５】
‘Ｈｏｐｐｉｎｇ  ｆｌａｇ’（周波数ホッピングフラグ）フィールドは、ＰＵＳＣＨ周波数ホッピングが適用されるか否かを示すことができる。‘Ｈｏｐｐｉｎｇ  ｆｌａｇ’フィールドは、ＰＵＳＣＨに対して連続した（ｃｏｎｔｉｇｕｏｕｓ）リソース割当が適用される場合に定義でき、非−連続的な（ｎｏｎ−ｃｏｎｔｉｇｕｏｕｓ）リソース割当が適用される場合には省略できる。
【０３１６】
‘Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ’（リソースブロック割当及びホッピングリソース割当）フィールドは、ＰＵＳＣＨ周波数ホッピングの有無、及び単一クラスター割当なのか、多重クラスター割当なのかによる、アップリンクサブフレームにおけるリソースブロック割当情報を示すことができる。
【０３１７】
‘ＴＰＣ  ｃｏｍｍａｎｄ  ｆｏｒ  ｓｃｈｅｄｕｌｅｄ  ＰＵＳＣＨ’（ＰＵＳＣＨに対する伝送電力制御命令）フィールドは、ＰＵＳＣＨ伝送に対する伝送電力を決定できる値を示すことができる。‘ＴＰＣ  ｃｏｍｍａｎｄ  ｆｏｒ  ｓｃｈｅｄｕｌｅｄ  ＰＵＳＣＨ’フィールドは、アップリンク伝送主体（例えば、端末）特定にＴＰＣ命令（Ｔｒａｎｓｍｉｔ  Ｐｏｗｅｒ  Ｃｏｎｔｒｏｌ  ｃｏｍｍａｎｄ）が与えられる場合に、２ビットで定義可能である。または、複数個のアンテナのそれぞれに対してＴＰＣ命令が与えられる場合には、‘ＴＰＣ  ｃｏｍｍａｎｄ  ｆｏｒ  ｓｃｈｅｄｕｌｅｄ  ＰＵＳＣＨ’フィールドが２ビット×アンテナ個数のビット大きさで定義されてもよい。または、２個のコードワードのそれぞれに対してＴＰＣ命令が与えられることもでき、この場合には、‘ＴＰＣ  ｃｏｍｍａｎｄ  ｆｏｒ  ｓｃｈｅｄｕｌｅｄ  ＰＵＳＣＨ’フィールドが４ビット大きさで定義されてもよい。
【０３１８】
‘Ｃｙｃｌｉｃ  ｓｈｉｆｔ  ｆｏｒ  ＤＭＲＳ’（復調参照信号に対する巡回シフト）フィールドは、アップリンクＤＭＲＳのためのシーケンス生成に用いられる巡回シフト値を示すことができる。‘Ｃｙｃｌｉｃ  ｓｈｉｆｔ  ｆｏｒ  ＤＭＲＳ’フィールドは、ＤＭＲＳ生成に用いられる直交カバーコード（Ｏｒｔｈｏｇｏｎａｌ  Ｃｏｖｅｒ  Ｃｏｄｅ；ＯＣＣ）インデックスをさらに含むことができる。‘Ｃｙｃｌｉｃ  ｓｈｉｆｔ  ｆｏｒ  ＤＭＲＳ’フィールドによって一つのレイヤー（またはアンテナポート）に対する巡回シフト値を与えることができる。他のレイヤー（またはアンテナポート）に対する巡回シフト値は、当該一つのレイヤー（またはアンテナポート）に対して与えられた巡回シフト値に基づき、あらかじめ定められた規則にしたがって計算された巡回シフト値を用いることができる。
【０３１９】
‘ＵＬ  ｉｎｄｅｘ（ｆｏｒ  ＴＤＤ）’（アップリンクインデックス（ＴＤＤの場合））フィールドは、時分割デュプレックス（ＴＤＤ）方式で無線フレームが構成される場合に、特定アップリンク−ダウンリンク設定においてアップリンク伝送と設定されるサブフレームインデックスなどを示すことができる。
【０３２０】
‘Ｄｏｗｎｌｉｎｋ  Ａｓｓｉｇｎｍｅｎｔ  Ｉｎｄｅｘ（ｆｏｒ  ＴＤＤ）’（ダウンリンク割当インデックス（ＴＤＤ場合））フィールドは、ＴＤＤ方式で無線フレームが構成される場合に、特定アップリンク−ダウンリンク設定においてＰＤＳＣＨ伝送と設定されるサブフレームの総個数などを示すことができる。
【０３２１】
‘ＣＱＩ  ｒｅｑｕｅｓｔ’（チャネル品質指示子要請）フィールドは、ＰＵＳＣＨを用いて非周期的なＣＱＩ、ＰＭＩ及びＲＩ報告をするように要請する旨を示すことができる。
【０３２２】
‘Ｒｅｓｏｕｒｃｅ  ａｌｌｏｃａｔｉｏｎ  ｈｅａｄｅｒ（ｒｅｓｏｕｒｃｅ  ａｌｌｏｃａｔｉｏｎ  ｔｙｐｅ  ０／ｔｙｐｅ  １）’（リソース割当ヘッダー（リソース割当タイプ０／タイプ１））フィールドは、タイプ０またはタイプ１のリソース割当を示すことができる。タイプ０は、連続した（ｃｏｎｔｉｇｕｏｕｓ）リソース割当を示し、タイプ１は、その他の様々なリソース割当を示すことができる。例えば、タイプ１は、非−連続的な（ｎｏｎ−ｃｏｎｔｉｇｕｏｕｓ）リソース割当を示すことができる。ＰＵＳＣＨリソース割当方式が、その他明示的または暗黙的シグナリングを通じて指示される場合には、‘Ｒｅｓｏｕｒｃｅ  ａｌｌｏｃａｔｉｏｎ  ｈｅａｄｅｒ（ｒｅｓｏｕｒｃｅ  ａｌｌｏｃａｔｉｏｎ  ｔｙｐｅ  ０／ｔｙｐｅ  １）’フィールドは省略されてもよい。
【０３２３】
‘ＴＰＣ  ｃｏｍｍａｎｄ  ｆｏｒ  ＰＵＣＣＨ’（ＰＵＣＣＨに対する伝送電力制御命令）フィールドは、ＰＵＣＣＨ伝送に対する伝送電力を決定できる値を示すことができ、場合によって省略されてもよい。
【０３２４】
‘Ｔｒａｎｓｐｏｒｔ  ｂｌｏｃｋ  ｔｏ  ｃｏｄｅｗｏｒｄ  ｓｗａｐ  ｆｌａｇ’（伝送ブロック−対−コードワードスワップフラグ）フィールドは、２個のアップリンク伝送ブロック（Ｔｒａｎｓｐｏｒｔ  ｂｌｏｃｋ）が両方とも活性化（ｅｎａｂｌｅｄ）する場合に、伝送ブロック−対−コードワードマッピング関係を示すことができる。‘Ｔｒａｎｓｐｏｒｔ  ｂｌｏｃｋ  ｔｏ  ｃｏｄｅｗｏｒｄ  ｓｗａｐ  ｆｌａｇ’フィールドが０値を有すると、伝送ブロック１がコードワード０にマッピングされ、伝送ブロック２がコードワード１にマッピングされる旨を示し、１値を有すると、伝送ブロック２がコードワード０にマッピングされ、伝送ブロック１がコードワード１にマッピングされる旨を示すことができる。２コードワードのいずれか一つが非活性化（ｄｉｓａｂｌｅｄ）する場合は、‘Ｔｒａｎｓｐｏｒｔ  ｂｌｏｃｋ  ｔｏ  ｃｏｄｅｗｏｒｄ  ｓｗａｐ  ｆｌａｇ’フィールドは留保（ｒｅｓｅｒｖｅｄ）されるとよい。または、伝送ブロック−対−コードワードスワップを支援しない場合は、‘Ｔｒａｎｓｐｏｒｔ  ｂｌｏｃｋ  ｔｏ  ｃｏｄｅｗｏｒｄ  ｓｗａｐ  ｆｌａｇ’フィールドが省略されてもよい。
【０３２５】
２個のコードワード（または伝送ブロック）のそれぞれに対して、‘Ｍｏｄｕｌａｔｉｏｎ  ａｎｄ  ｃｏｄｉｎｇ  ｓｃｈｅｍｅ’（変調及びコーディング手法及びリダンダンシーバージョン）及び‘Ｎｅｗ  ｄａｔａ  ｉｎｄｉｃａｔｏｒ’（新規データ指示子）フィールドを定義することができる。
【０３２６】
‘Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ’フィールドは、それぞれのコードワード（または伝送ブロック）に対する変調次数（ｍｏｄｕｌａｔｉｏｎ  ｏｒｄｅｒ）情報を示すことができる。‘Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ’フィールドの一部ビット状態（ｓｔａｔｅ）を、それぞれのコードワード（または伝送ブロック）に対するリダンダンシーバージョン（ＲＶ）情報を示すために用いることができる。ＲＶは、それぞれのコードワード（または伝送ブロック）の再伝送時に、どのサブパケットを再伝送するかに関する情報を示すことができる。
【０３２７】
‘Ｎｅｗ  ｄａｔａ  ｉｎｄｉｃａｔｏｒ’フィールドは、それぞれのコードワード（または伝送ブロック）に関するアップリンクスケジューリング情報が、新規データに関するものか、再伝送に関するものかを示すことができる。当該コードワード（または伝送ブロック）に対する以前の伝送におけるＮＤＩ値から‘Ｎｅｗ  ｄａｔａ  ｉｎｄｉｃａｔｏｒ’フィールドのビット値がトグリングされた場合は、新規データ伝送である旨を示し、トグリングされなかった場合は、再伝送である旨を示すことができる。
【０３２８】
‘Ｐｒｅｃｏｄｉｎｇ  ｉｎｆｏｒｍａｔｉｏｎ’（プリコーディング情報）フィールドは、アップリンク伝送のプリコーディングのためのコードブックインデックスなどを示すことができる。アップリンク伝送主体（例えば、端末）が２伝送アンテナで構成される場合は、ランク１及びランク２に対するコードブックインデックスを示すために、‘Ｐｒｅｃｏｄｉｎｇ  ｉｎｆｏｒｍａｔｉｏｎ’フィールドを３ビットで定義でき、４伝送アンテナで構成される場合は、ランク１、２、３及び４に対するコードブックインデックスを示すために、‘Ｐｒｅｃｏｄｉｎｇ  ｉｎｆｏｒｍａｔｉｏｎ’フィールドを６ビットで定義することができる。
【０３２９】
一方、下記の表２４は、一つのアップリンクセル（または構成搬送波）において多重アンテナポート伝送モードにＰＵＳＣＨをスケジューリングするのに用いられる新しいＤＣＩフォーマットの他の例示に関するものである。表２４のＤＣＩフォーマットを、既存に定義されているＤＣＩフォーマットと区別するためのフォーマットインデックス（例えば、ＤＣＩフォーマット４）と呼ぶこともできる。
【０３３０】
【表２４】
0005887435.tif 000117
表２４のＤＣＩフォーマットで定義するフィールドの具体的な内容のうち、表２３のＤＣＩフォーマットと重複する内容についての説明は、明瞭性のために省略する。
【０３３１】
表２４のＤＣＩフォーマットで、‘Ｃｙｃｌｉｃ  ｓｈｉｆｔ  ｆｏｒ  ＤＭＲＳ’（復調参照信号に対する巡回シフト）フィールドは、アップリンクＤＭＲＳのためのシーケンス生成に用いられる巡回シフト値を示すことができる。‘Ｃｙｃｌｉｃ  ｓｈｉｆｔ  ｆｏｒ  ＤＭＲＳ’フィールドは、ＤＭＲＳ生成に用いられるＯＣＣインデックスをさらに含むことができる。‘Ｃｙｃｌｉｃ  ｓｈｉｆｔ  ｆｏｒ  ＤＭＲＳ’フィールドによって複数個のレイヤー（またはアンテナポート）に対する巡回シフト値を明示的に与えることができる。例えば、一つの巡回シフト値は３ビットで表現できるが、４個のレイヤー（またはアンテナポート）のそれぞれに対する巡回シフト値を示すために、‘Ｃｙｃｌｉｃ  ｓｈｉｆｔ  ｆｏｒ  ＤＭＲＳ’フィールドを１２ビットの大きさで定義することができる。
【０３３２】
表２４におけるＤＣＩフォーマットの残りフィールドについての具体的な内容は、表２３におけるＤＣＩフォーマットのそれぞれのフィールドについての説明を同様に適用すればよい。
【０３３３】
一方、下記の表２５は、一つのアップリンクセル（または構成搬送波）において多重アンテナポート伝送モードにＰＵＳＣＨをスケジューリングするのに用いられる新しいＤＣＩフォーマットの他の例示に関するものである。表２５のＤＣＩフォーマットを、既存に定義されているＤＣＩフォーマットと区別するためのフォーマットインデックス（例えば、ＤＣＩフォーマット４）と呼ぶこともできる。
【０３３４】
【表２５】
0005887435.tif 000118
表２５のＤＣＩフォーマットで定義するフィールドの具体的な内容のうち、表２３のＤＣＩフォーマットと重複する内容についての説明は、明瞭性のために省略する。
【０３３５】
表２５のＤＣＩフォーマットにおいて、‘Ｃｙｃｌｉｃ  ｓｈｉｆｔ  ｆｏｒ  ＤＭＲＳ’（復調参照信号に対する巡回シフト）フィールドは、アップリンクＤＭＲＳのためのシーケンス生成に用いられる巡回シフト値を示すことができる。‘Ｃｙｃｌｉｃ  ｓｈｉｆｔ  ｆｏｒ  ＤＭＲＳ’フィールドは、ＤＭＲＳ生成に用いられるＯＣＣインデックスをさらに含むことができる。‘Ｃｙｃｌｉｃ  ｓｈｉｆｔ  ｆｏｒ  ＤＭＲＳ’フィールドによって２個のレイヤー（またはアンテナポート）に対する巡回シフト値を明示的に与えることができる。例えば、一つの巡回シフト値は３ビットで表現できるが、４個のレイヤー（またはアンテナポート）のそれぞれに対する巡回シフト値を示すために、‘Ｃｙｃｌｉｃ  ｓｈｉｆｔ  ｆｏｒ  ＤＭＲＳ’フィールドを１２ビットで定義することができる。
【０３３６】
表２５のＤＣＩフォーマットにおいて‘Ｎｅｗ  ｄａｔａ  ｉｎｄｉｃａｔｏｒ’（新規データ指示子）フィールドについては、表２３または表２４のＤＣＩフォーマットでそれぞれのコードワードに対して‘Ｎｅｗ  ｄａｔａ  ｉｎｄｉｃａｔｏｒ’フィールドが定義されるのとは違い、２個のコードワードに対して一つの‘Ｎｅｗ  ｄａｔａ  ｉｎｄｉｃａｔｏｒ’フィールドのみが定義される。すなわち、２個のコードワード（または伝送ブロック）をまとめて（ｂｕｎｄｌｉｎｇ）、アップリンクスケジューリング情報が新規データに関するものか、再伝送に関するものかを示すことができる。以前の伝送におけるＮＤＩ値からトグリングされる場合は、２個のコードワード（または伝送ブロック）とも新規データ伝送である旨を示し、トグリングされない場合は、２個のコードワード（または伝送ブロック）とも再伝送である旨を示す。
【０３３７】
表２５におけるＤＣＩフォーマットの残りフィールドについての具体的な内容は、表９におけるＤＣＩフォーマットのそれぞれのフィールドについての説明を同様に適用すればよい。
【０３３８】
また、前述した表２３、表２４または表２５におけるＤＣＩフォーマットには、‘Ｃａｒｒｉｅｒ  Ｉｎｄｉｃａｔｏｒ’（搬送波指示子）フィールド及び‘Ｍｕｌｔｉ−ｃｌｕｓｔｅｒ  ｆｌａｇ’（多重−クラスターフラグ）フィールドをさらに定義することができる。‘Ｃａｒｒｉｅｒ  Ｉｎｄｉｃａｔｏｒ’フィールドは、一つ以上のアップリンクセル（または構成搬送波）が存在する場合に、いずれのアップリンクセル（または構成搬送波）で多重コードワードＰＵＳＣＨ伝送がスケジューリングされるかを示すことができ、０または３ビットで構成することができる。‘Ｍｕｌｔｉ−ｃｌｕｓｔｅｒ  ｆｌａｇ’フィールドは、アップリンクリソース割当の側面で多重クラスター割当が適用されるか否かを示すことができる。
【０３３９】
図１０を参照して本発明の好適な実施例に係るアップリンクＭＩＭＯ伝送及び受信方法について説明する。
【０３４０】
段階Ｓ１０１０で、基地局は、第１及び第２のデータブロック（ＴＢ）のアップリンク伝送をスケジューリングするＤＣＩを含むＰＤＣＣＨを端末に伝送し、端末はこれを受信することができる。
【０３４１】
段階Ｓ１０２０で、端末は、段階Ｓ１０１０で受信したＰＤＣＣＨで指示される通りにして第１及び第２のデータブロックを基地局に伝送し、基地局はこれを受信することができる。
【０３４２】
段階Ｓ１０３０で、基地局は、多重ＴＢ（またはＣＷ）伝送に対して多重ＰＨＩＣＨを用いてＡＣＫ／ＮＡＣＫ情報を端末に伝送し、端末は、これを受信することができる。具体的に、基地局は、段階Ｓ１０２０で受信した第１及び第２のデータブロックに対してデコーディングを試み、それぞれのデータブロックに対するＡＣＫ／ＮＡＣＫ情報を生成することができる。また、基地局は、第１のデータブロックに対するＡＣＫ／ＮＡＣＫ情報は第１のＰＨＩＣＨリソースを用いて、第２のデータブロックに対するＡＣＫ／ＮＡＣＫ情報は第２のＰＨＩＣＨリソースを用いて、ＰＨＩＣＨを通じてそれぞれのデータブロックに対するＡＣＫ／ＮＡＣＫ情報を端末に伝送することができる。
【０３４３】
ここで、第１及び第２のＰＨＩＣＨリソース及び第２のＰＨＩＣＨリソースは、異なる周波数領域のインデックス（前述した、最も低いＰＲＢインデックス）によって区別可能である。例えば、ＰＨＩＣＨリソースは、異なるインデックスの組み合わせで決定することができるが、アップリンクグラントＰＤＣＣＨのＤＣＩフォーマットに含まれる最も低い物理リソースブロックインデックス（ｌｏｗｅｓｔ  ＰＲＢ  ｉｎｄｅｘ）と巡回シフトインデックス（Ｃｙｃｌｉｃ  Ｓｈｉｆｔｉｎｄｅｘ；ＣＳ  ｉｎｄｅｘ）との組み合わせでＰＨＩＣＨリソースを設定することができる。また、例えば、第１のデータブロックに対するＡＣＫ／ＮＡＣＫを示すために第１のＰＨＩＣＨリソースが割り当てられ、第２のデータブロックに対するＡＣＫ／ＮＡＣＫを示すために第２のＰＨＩＣＨリソースが割り当てられうる。第１のＰＨＩＣＨリソースと第２のＰＨＩＣＨリソースは、互いに異なるインデックスによって区別可能である。例えば、第１のＰＨＩＣＨリソースは、最も低いＰＲＢインデックスＩが割り当てられると、第２のＰＨＩＣＨリソースは、最も低いＰＲＢインデックスＩ＋１が割り当てられる。
【０３４４】
段階Ｓ１０４０で、端末は、段階Ｓ１０３０で受信した第１及び第２のデータブロックのそれぞれに対するＡＣＫ／ＮＡＣＫ情報に基づいて、ＮＡＣＫされたデータブロックを基地局に再伝送でき、基地局はこれを受信することができる。このような再伝送は、端末がＰＨＩＣＨを検出するダウンリンクサブフレームでＰＤＣＣＨを検出しない場合に行われる再伝送でよい。
【０３４５】
段階Ｓ１０５０で、基地局は、段階Ｓ１０４０で再伝送された（すなわち、以前の伝送においてＮＡＣＫされた）データブロックに対するＡＣＫ／ＮＡＣＫ情報を、ＰＨＩＣＨを通じて端末に伝送でき、端末はこれを受信することができる。
【０３４６】
ここで、以前の伝送（例えば、段階Ｓ１０２０）で２個のデータブロックが伝送されたが、そのいずれか一つのデータブロック（第１または第２のデータブロック）のみがＡＣＫされ、他のデータブロックはＮＡＣＫされる場合には、ＮＡＣＫされた一つのデータブロックのみ再伝送できる（段階Ｓ１０４０）。このような場合を、ＮＡＣＫされたデータブロックの個数（＝１）が、段階Ｓ１０１０のＰＤＣＣＨで指示されたデータブロックの個数（＝２）と同一でない場合と表現できる。このような場合に、再伝送された（すなわち、以前の伝送においてＮＡＣＫされた）一つのデータブロックに対するＡＣＫ／ＮＡＣＫ情報を伝送する時には、２個のＰＨＩＣＨリソース、すなわち、第１及び第２のＰＨＩＣＨリソースのうち、第１のＰＨＩＣＨリソースを用いることができる。ここで、第１のＰＨＩＣＨリソースは、２個のデータブロックが伝送される場合に、第１のデータブロックに対して割り当てられるＰＨＩＣＨリソースを意味し、図１０の例示では、段階Ｓ１０３０で第１のデータブロックに対して割り当てられる第１のＰＨＩＣＨリソースに該当する。
【０３４７】
端末が再伝送を行う段階Ｓ１０４０は、端末がＰＨＩＣＨを受信する段階Ｓ１０３０以降の４番目のサブフレームとすることができ、端末が、再伝送されたデータブロックに対するＰＨＩＣＨを受信する段階Ｓ１０５０は、端末が再伝送を行う段階Ｓ１０４０以降の４番目のサブフレームとすることができる。
【０３４８】
図１０と本発明のアップリンクＭＩＭＯ伝送及び受信方法において、前述した本発明の様々な実施例で説明した事項が独立的に適用されたり、または、２以上の実施例が同時に適用されたりでき、重複する内容については明確性のために説明を省略する。
【０３４９】
また、基地局と中継機間の（バックホールアップリンク及びバックホールダウンリンクでの）ＭＩＭＯ伝送、及び中継と端末間の（アクセスアップリンク及びアクセスダウンリンクでの）ＭＩＭＯ伝送に対するアップリンクＭＩＭＯ伝送及び受信にも、本発明で提案するのと同一の原理を適用することができる。
【０３５０】
図１１は、本発明に係る基地局装置及び端末装置の構成を示す図である。
【０３５１】
図１１を参照すると、本発明に係る基地局装置１１１０は、受信モジュール１１１１、伝送モジュール１１１２、プロセッサ１１１３、メモリー１１１４及び複数個のアンテナ１１１５を備えることができる。複数個のアンテナ１１１５は、ＭＩＭＯ送受信を支援する基地局装置を意味する。受信モジュール１１１１は、端末からのアップリンク上の各種信号、データ及び情報を受信することができる。伝送モジュール１１１２は、端末へのダウンリンク上の各種信号、データ及び情報を伝送することができる。プロセッサ１１１３は、基地局装置１１１０全般の動作を制御することができる。
【０３５２】
本発明の一実施例に係る基地局装置１１１０は、アップリンク多重アンテナ伝送に関する制御情報を伝送するように構成することができる。基地局装置のプロセッサ１１１３は、伝送モジュール１１１２を介して、第１のデータブロック及び第２のデータブロックのアップリンク伝送をスケジューリングするＤＣＩを、ＰＤＣＣＨを通じて伝送するように構成することができる。また、プロセッサ１１１３は、受信モジュール１１１１を介して、ＤＣＩによってスケジューリングされた第１及び第２のデータブロックを受信するように構成することができる。また、プロセッサ１１１３は、伝送モジュール１１１２を介して、受信された第１のデータブロック及び第２のデータブロックのそれぞれに対するＡＣＫまたはＮＡＣＫを指示する情報を、ＰＨＩＣＨを通じて伝送するように構成することができ、第１のデータブロックに対して第１のＰＨＩＣＨリソースを用い、第２のデータブロックに対して第２のＰＨＩＣＨリソースを用いることができる。また、プロセッサ１１１３は、受信モジュール１１１１を介して、ＮＡＣＫされたデータブロックに対する再伝送を受信するように構成することができる。また、プロセッサ１１１３は、伝送モジュール１１１２を介して、ＮＡＣＫされたデータブロックの個数がＰＤＣＣＨで指示されたデータブロックの個数と同一でない場合に、ＮＡＣＫされたデータブロックの再伝送に対するＡＣＫまたはＮＡＣＫを指示する情報を、第１のＰＨＩＣＨリソースを用いて伝送するように構成することができる。
【０３５３】
基地局装置１１１０のプロセッサ１１１３は、その他にも、基地局装置１１１０が受信した情報、外部に伝送する情報などを演算処理する機能を有し、メモリー１１１４は、演算処理された情報などを所定時間記憶することができ、バッファー（図示せず）などの構成要素に取り替えてもよい。
【０３５４】
図１１を参照すると、本発明に係る端末装置１１２０は、受信モジュール１１２１、伝送モジュール１１２２、プロセッサ１１２３、メモリー１１２４及び複数個のアンテナ１１２５を備えることができる。複数個のアンテナ１１２５は、ＭＩＭＯ送受信を支援する端末装置を意味する。受信モジュール１１２１は、基地局からのダウンリンク上の各種信号、データ及び情報を受信することができる。伝送モジュール１１２２は、基地局へのアップリンク上の各種信号、データ及び情報を伝送することができる。プロセッサ１１２３は、端末装置１１２０全般の動作を制御することができる。
【０３５５】
本発明の一実施例に係る端末装置１１２０は、アップリンク多重アンテナ伝送を行うように構成することができる。端末装置のプロセッサ１１２３は、受信モジュール１１２１を介して、第１のデータブロック及び第２のデータブロックのアップリンク伝送をスケジューリングするＤＣＩを、ＰＤＣＣＨを通じて受信するように構成することができる。また、プロセッサ１１２３は、伝送モジュール１１２２を介して、ＤＣＩによってスケジューリングされた第１のデータブロック及び第２のデータブロックを伝送するように構成することができる。また、プロセッサ１１２３は、受信モジュール１１２１を介して、伝送された第１のデータブロック及び第２のデータブロックのそれぞれに対するＡＣＫまたはＮＡＣＫを指示する情報を受信するように構成することができ、第１のデータブロックに対して第１のＰＨＩＣＨリソースを用い、第２のデータブロックに対して第２のＰＨＩＣＨリソースを用いることができる。また、プロセッサ１１２３は、伝送モジュール１１２２を介して、ＮＡＣＫされたデータブロックに対する再伝送を伝送するように構成することができる。また、プロセッサ１１２３は、受信モジュール１１２１を介して、ＮＡＣＫされたデータブロックの個数がＰＤＣＣＨで指示されたデータブロックの個数と同一でない場合に、ＮＡＣＫされたデータブロックの再伝送に対するＡＣＫまたはＮＡＣＫを指示する情報を、第１のＰＨＩＣＨリソースを用いて受信するように構成することができる。
【０３５６】
端末装置１１２０のプロセッサ１１２３は、その他にも、端末装置１１２０が受信した情報、外部に伝送する情報などを演算処理する機能を有し、メモリー１１２４は、演算処理された情報などを所定時間記憶することができ、バッファー（図示せず）などの構成要素に取り替えてもよい。
【０３５７】
上記のような基地局装置及び端末装置の具体的な構成は、前述した本発明の様々な実施例で説明した事項が独立的に適用されたり、または、２以上の実施例が同時に適用されたりするように具現でき、重複する内容については明確性のために説明を省略する。
【０３５８】
また、図１１の説明において、基地局装置１１１０についての説明は、ダウンリンク伝送主体またはアップリンク受信主体としての中継機装置にも同一に適用可能であり、端末装置１１２０についての説明は、ダウンリンク受信主体またはアップリンク伝送主体としての中継機装置にも同一に適用可能である。
【０３５９】
上述した本発明の実施例は様々な手段を通じて具現可能である。例えば、本発明の実施例は、ハードウェア、ファームウェア（ｆｉｒｍｗａｒｅ）、ソフトウェアまたはそれらの結合などにより具現可能である。
【０３６０】
ハードウェアによる具現の場合に、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０３６１】
ファームウェアやソフトウェアによる具現の場合に、本発明の一実施例による方法は、以上で説明された機能または動作を行うモジュール、手順、関数などの形態とすることができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを授受することができる。
【０３６２】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０３６３】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【産業上の利用可能性】
【０３６４】
上述のような本発明の実施の形態は、様々な移動通信システムに適用することができる。
【図１】
0005887435.tif 000119
【図２】
0005887435.tif 000120
【図３】
0005887435.tif 000121
【図４】
0005887435.tif 000122
【図５】
0005887435.tif 000123
【図６】
0005887435.tif 000124
【図７】
0005887435.tif 000125
【図８】
0005887435.tif 000126
【図９】
0005887435.tif 000127
【図１０】
0005887435.tif 000128
【図１１】
0005887435.tif 000129